(57)【要約】【課題】液晶表示装置の構成の簡素化および製造コストの低減が図れる画像表示システムを提供すること。【解決手段】画像表示システムのＰＣ２は、液晶素子にて表示された光学像に対応する従前の従前画像情報、および従前画像情報の１つ後の後続画像情報にそれぞれ含まれる各色調情報を所定の複数位置で比較して、各色調情報の変化が所定の関係を有する位置で構成される領域を非変化領域として判定する非変化領域判定部２３５４と、非変化領域の継続期間が所定の許容期間以上となる領域を液晶素子の焼き付け領域として判定する焼き付け領域判定部２３５５と、最新画像情報に対して焼き付け領域に焼き付け補正処理を実施して処理済み画像情報を出力する焼き付け補正処理部２３５６とを備える。画像表示システムのプロジェクタは、処理済み画像情報を取得し、処理済み画像情報に基づいて液晶素子に所定の電圧を印加して処理済画像情報に基づく光学像を表示させる。【選択図】図２
2007171744.tif 000002
【特許請求の範囲】
【請求項１】
画像情報を処理する情報処理装置と、電圧が印加されることで液晶の配列状態を変化させ前記液晶の配列状態に応じて入射光束を画素毎に変調して光学像を表示する液晶素子、および前記情報処理装置にて処理された前記画像情報に基づいて前記画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムであって、
前記情報処理装置は、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、
前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部と、
最新の最新画像情報に対して、前記焼き付け領域判定部にて判定された焼き付け領域に焼き付け補正処理を実施して処理済み画像情報を出力する焼き付け補正処理部とを備え、
前記液晶表示装置の前記駆動制御部は、前記処理済み画像情報を取得し、前記処理済み画像情報に基づいて前記液晶素子に所定の電圧を印加して前記処理済み画像情報に基づく光学像を表示させる
ことを特徴とする画像表示システム。
【請求項２】
請求項１に記載の画像表示システムにおいて、
前記情報処理装置は、
全ての色調を前記液晶素子に印加する電圧値のレベルに応じて区分けした複数のグループに関する焼付補正情報を記憶する焼付補正情報記憶部を備え、
前記非変化領域判定部は、前記従前画像情報および前記後続画像情報にそれぞれ含まれる各色調情報を前記従前画像情報および前記後続画像情報に対応する各画像における所定の複数位置で比較して、前記各色調情報に基づく各色調が前記焼付補正情報に基づく前記複数のグループのうち同一のグループに属している位置で構成される領域を非変化領域として判定する
ことを特徴とする画像表示システム。
【請求項３】
請求項２に記載の画像表示システムにおいて、
前記焼付補正情報は、前記複数のグループに対して各前記許容期間が個別に関連付けられた情報であり、
前記焼き付け領域判定部は、前記非変化領域判定部にて継続して非変化領域であると判定された継続期間と、前記従前画像情報および前記後続画像情報にそれぞれ含まれ前記非変化領域に対応する各色調情報に基づく各色調が属している前記グループに関連付けられた前記許容期間とを比較して、前記継続期間が前記許容期間以上となる領域を前記焼き付け領域として判定する
ことを特徴とする画像表示システム。
【請求項４】
請求項２または請求項３に記載の画像表示システムにおいて、
前記焼付補正情報記憶部は、前記非変化領域判定部にて比較する前記所定の複数位置毎にそれぞれ前記焼付補正情報を記憶している
ことを特徴とする画像表示システム。
【請求項５】
請求項１から請求項４のいずれかに記載の画像表示システムにおいて、
前記焼き付け補正処理部は、前記最新画像情報に含まれる色調情報に対して、前記焼き付け領域に所定のオフセット値を減算することで前記焼き付け補正処理を実施して処理済み画像情報を順次、出力する
ことを特徴とする画像表示システム。
【請求項６】
請求項５に記載の画像表示システムにおいて、
前記情報処理装置は、
全ての色調を前記液晶素子に印加する電圧値のレベルに応じて区分けした複数のグループに関する焼付補正情報を記憶する焼付補正情報記憶部を備え、
前記焼付補正情報は、前記複数のグループに対して各前記オフセット値が個別に関連付けられた情報であり、
前記焼き付け補正処理部は、前記最新画像情報に含まれる色調情報に対して、前記焼き付け領域に、前記従前画像情報および前記後続画像情報にそれぞれ含まれ前記焼き付け領域に対応する各色調情報に基づく各色調が属している前記グループに関連付けられた前記オフセット値を減算することで前記焼き付け補正処理を実施して処理済み画像情報を順次、出力する
ことを特徴とする画像表示システム。
【請求項７】
請求項５に記載の画像表示システムにおいて、
前記情報処理装置は、
全ての色調を前記液晶素子に印加する電圧値のレベルに応じて区分けした複数のグループに関する焼付補正情報と、異なる前記グループ間に関するグループ間情報に対してそれぞれ個別に各前記オフセット値が関連付けられたオフセット値情報とを記憶する焼付補正情報記憶部を備え、
前記焼き付け補正処理部は、前記最新画像情報に含まれる色調情報に対して、前記焼き付け領域に、前記従前画像情報および前記後続画像情報にそれぞれ含まれ前記焼き付け領域に対応する各色調情報に基づく各色調が属している遷移前グループと、前記最新画像情報に含まれ前記焼き付け領域に対応する色調情報に基づく色調が属している遷移先グループとのグループ間に関する前記グループ間情報に関連付けられた前記オフセット値を減算することで前記焼き付け補正処理を実施して処理済み画像情報を順次、出力する
ことを特徴とする画像表示システム。
【請求項８】
請求項５から請求項７のいずれかに記載の画像表示システムにおいて、
前記焼き付け補正処理部は、前記焼き付け領域判定部にて前記焼き付け領域が判定された後、前記オフセット値を時間的に次第に小さくして前記最新画像情報に対して前記焼き付け補正処理を実施して処理済み画像情報を順次、出力する
ことを特徴とする画像表示システム。
【請求項９】
請求項１から請求項４のいずれかに記載の画像表示システムにおいて、
前記焼き付け補正処理部は、前記最新画像情報に含まれる色調情報に対して、前記焼き付け領域に所定の範囲内で前記色調情報に基づく色調を変化させることで前記焼き付け補正処理を実施し、前記所定の範囲内で前記色調が変動する前記処理済み画像情報を順次、出力する
ことを特徴とする画像表示システム。
【請求項１０】
請求項９に記載の画像表示システムにおいて、
前記焼き付け補正処理部は、前記最新画像情報に含まれる色調情報に対して、前記焼き付け領域に、ＹＣｂＣｒ色空間におけるＹ値を一定に保ちつつＣｂ値およびＣｒ値を所定の範囲内で変化させることで前記焼き付け補正処理を実施し、ＹＣｂＣｒ色空間におけるＹ値が一定でかつ前記所定の範囲内でＣｂ値およびＣｒ値が変動する前記処理済み画像情報を順次、出力する
ことを特徴とする画像表示システム。
【請求項１１】
請求項１から請求項１０のいずれかに記載の画像表示システムにおいて、
前記情報処理装置は、
前記画像情報に対して所定の画像補正処理を実施する画像補正処理部と、
前記画像補正処理部にて画像補正処理が施された画像情報を順次、記憶する画像情報記憶部とを備え、
前記非変化領域判定部は、前記画像情報記憶部に記憶された画像情報のうち前記液晶素子にて表示された光学像に対応する従前の従前画像情報と、前記画像補正処理部にて画像補正処理が施され前記従前画像情報の１つ後の後続画像情報とにそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する
ことを特徴とする画像表示システム。
【請求項１２】
請求項１から請求項１０のいずれかに記載の画像表示システムにおいて、
前記液晶表示装置にて表示された画像を撮像する撮像装置を備え、
前記情報処理装置は、
前記撮像装置にて撮像された画像に関する画像情報を順次、記憶する画像情報記憶部を備え、
前記非変化領域判定部は、前記画像情報記憶部に記憶された画像情報のうち、前記液晶素子にて表示された光学像に対応する従前の従前画像情報、および前記従前画像情報の１つ後の後続画像情報とにそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する
ことを特徴とする画像表示システム。
【請求項１３】
画像情報を処理する情報処理装置と、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムであって、
前記情報処理装置は、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、
前記非変化領域判定部にて継続して非変化領域であると判定された継続期間および所定の許容期間を比較して、前記継続期間が前記許容期間以上となる領域を前記液晶素子における画面の焼き付け領域として判定して前記焼き付け領域に関する焼き付け領域情報を出力する焼き付け領域判定部とを備え、
前記液晶表示装置は、
前記焼き付け領域判定部にて判定された焼き付け領域に関する焼き付け領域情報を取得し、最新の最新画像情報に対して、前記焼き付け領域情報に基づく焼き付け領域に焼き付け補正処理を実施して処理済み画像情報を出力する焼き付け補正処理部を備え、
前記駆動制御部は、前記処理済み画像情報に基づいて前記液晶素子に所定の電圧を印加して前記処理済み画像情報に基づく光学像を表示させる
ことを特徴とする画像表示システム。
【請求項１４】
画像情報を処理する情報処理装置と、電圧が印加されることで液晶の配列状態を変化させ前記液晶の配列状態に応じて入射光束を画素毎に変調して光学像を表示する液晶素子、および前記情報処理装置にて処理された前記画像情報に基づいて前記画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムを利用した画像表示方法であって、
前記情報処理装置は、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、
前記非変化領域判定ステップにて継続して非変化領域であると判定した継続期間および所定の許容期間を比較して、前記継続期間が前記許容期間以上となる領域を前記液晶素子における画面の焼き付け領域として判定する焼き付け領域判定ステップと、
最新の最新画像情報に対して、前記焼き付け領域判定ステップにて判定した焼き付け領域に焼き付け補正処理を実施して処理済み画像情報を出力する焼き付け補正処理ステップとを実行し、
前記液晶表示装置は、
前記処理済み画像情報を取得する処理済み画像情報取得ステップと、
前記処理済み画像情報に基づいて前記液晶素子に所定の電圧を印加して前記処理済み画像情報に基づく光学像を表示させる画像表示ステップとを実行する
ことを特徴とする画像表示方法。
【請求項１５】
画像情報を処理する情報処理装置と、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムを利用した画像表示方法であって、
前記情報処理装置は、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、
前記非変化領域判定ステップにて継続して非変化領域であると判定した継続期間および所定の許容期間を比較して、前記継続期間が前記許容期間以上となる領域を前記液晶素子における画面の焼き付け領域として判定して前記焼き付け領域に関する焼き付け領域情報を出力する焼き付け領域判定ステップとを実行し、
前記液晶表示装置は、
前記焼き付け領域情報を取得する焼き付け領域情報取得ステップと、
最新の最新画像情報に対して、前記焼き付け領域情報に基づく焼き付け領域に焼き付け補正処理を実施して処理済み画像情報を出力する焼き付け補正処理ステップと、
前記処理済み画像情報に基づいて前記液晶素子に所定の電圧を印加して前記処理済み画像情報に基づく光学像を表示させる画像表示ステップとを実行する
ことを特徴とする画像表示方法。
【請求項１６】
電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置に前記画像情報を出力して前記液晶素子に前記画像情報に基づく光学像を表示させる情報処理装置であって、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、
前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部と、
最新の最新画像情報に対して、前記焼き付け領域判定部にて判定された焼き付け領域に焼き付け補正処理を実施して処理済み画像情報を出力する焼き付け補正処理部とを備えている
ことを特徴とする情報処理装置。
【請求項１７】
電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置に前記画像情報を出力して前記液晶素子に前記画像情報に基づく光学像を表示させる情報処理装置の制御プログラムであって、
前記情報処理装置に組み込まれたコンピュータに、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、
前記非変化領域判定ステップにて継続して非変化領域であると判定した継続期間および所定の許容期間を比較して、前記継続期間が前記許容期間以上となる領域を前記液晶素子における画面の焼き付け領域として判定する焼き付け領域判定ステップと、
最新の最新画像情報に対して、前記焼き付け領域判定ステップにて判定した焼き付け領域に焼き付け補正処理を実施して処理済み画像情報を出力する焼き付け補正処理ステップとを実行させる
ことを特徴とする制御プログラム。
【請求項１８】
請求項１７に記載の制御プログラムがコンピュータに読取可能に記録されていることを特徴とする制御プログラムを記録した記録媒体。
【請求項１９】
電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置であって、
前記液晶素子における画面の焼き付け領域に関する焼き付け領域情報を取得し、最新の最新画像情報に対して、前記焼き付け領域情報に基づく焼き付け領域に焼き付け補正処理を実施して処理済み画像情報を出力する焼き付け補正処理部を備え、
前記駆動制御部は、前記処理済み画像情報に基づいて前記液晶素子に所定の電圧を印加して前記処理済み画像情報に基づく光学像を表示させる
ことを特徴とする液晶表示装置。
【請求項２０】
請求項１９に記載の液晶表示装置において、
前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、
前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部とを備えている
ことを特徴とする液晶表示装置。
【請求項２１】
電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置の制御プログラムであって、
前記液晶表示装置に組み込まれたコンピュータに、
前記液晶素子における画面の焼き付け領域に関する焼き付け領域情報を取得する焼き付け領域情報取得ステップと、
最新の最新画像情報に対して、前記焼き付け領域情報に基づく焼き付け領域に焼き付け補正処理を実施して処理済み画像情報を出力する焼き付け補正処理ステップと、
前記処理済み画像情報に基づいて前記液晶素子に所定の電圧を印加して前記液晶素子に前記処理済み画像情報に基づく光学像を表示させる画像表示ステップとを実行させる
ことを特徴とする制御プログラム。
【請求項２２】
請求項２１に記載の制御プログラムがコンピュータに読取可能に記録されていることを特徴とする制御プログラムを記録した記録媒体。
【発明の詳細な説明】
【技術分野】
【０００１】
本発明は、画像表示システム、画像表示方法、情報処理装置、液晶表示装置、制御プログラム、および記録媒体に関する。
【背景技術】
【０００２】
従来、電圧が印加されることで液晶の配列状態を変化させ、液晶の配列状態に応じて入射光束を画素毎に変調して光学像を表示する液晶素子を用いた液晶表示装置が知られている。
そして、このような液晶表示装置では、液晶素子に長時間、略一定の直流（ＤＣ）電圧を印加した場合には、液晶に内部電界が発生し固定されてしまう可能性がある。すなわち、印加電圧を変更した場合であっても、液晶に発生した内部電界によって以前表示した情報が加味された状態で表示されることとなり、画像の表示の跡が残像のように残ってしまうという問題、いわゆる焼き付けが発生してしまう。
そこで、液晶素子における画面の焼き付けを抑制する技術が提案されている（例えば、特許文献１参照）。
特許文献１に記載の技術では、液晶表示装置のハードウェア構成に焼き付け抑制回路を新たに設けている。この焼き付け抑制回路は、液晶素子を構成する画素電極に印加する画素電極電圧を、液晶素子を構成する対向電極に印加する対向電極電圧に対して、所定の周期で極性反転し、画素電極と対向電極との間に印加される平均電圧を０Ｖとし、液晶にＤＣ電圧が印加されないように駆動している。
【０００３】
【特許文献１】特開２００４−１３３１７７号公報
【発明の開示】
【発明が解決しようとする課題】
【０００４】
しかしながら、特許文献１に記載の技術では、液晶表示装置のハードウェア構成に焼き付け抑制回路を設けることで、液晶素子における画面の焼き付けを抑制しているので、液晶表示装置の構成の簡素化、および製造コストの低減を阻害してしまう。
このため、画像情報に対して画像処理を実施する等のソフトウェア制御により液晶素子における画面の焼き付け補正を実施でき、液晶表示装置の構成の簡素化および製造コストの低減が図れる技術が要望されている。
【０００５】
本発明の目的は、液晶表示装置の構成の簡素化および製造コストの低減が図れる画像表示システム、画像表示方法、情報処理装置、液晶表示装置、制御プログラム、および記録媒体を提供することにある。
【課題を解決するための手段】
【０００６】
本発明の画像表示システムは、画像情報を処理する情報処理装置と、電圧が印加されることで液晶の配列状態を変化させ前記液晶の配列状態に応じて入射光束を画素毎に変調して光学像を表示する液晶素子、および前記情報処理装置にて処理された前記画像情報に基づいて前記画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムであって、前記情報処理装置は、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部と、最新の最新画像情報に対して、前記焼き付け領域判定部にて判定された焼き付け領域に焼き付け補正処理を実施して処理済み画像情報を出力する焼き付け補正処理部とを備え、前記液晶表示装置の前記駆動制御部は、前記処理済み画像情報を取得し、前記処理済み画像情報に基づいて前記液晶素子に所定の電圧を印加して前記処理済み画像情報に基づく光学像を表示させることを特徴とする。
【０００７】
ここで、非変化領域判定部における非変化領域の判定では、従前画像情報および後続画像情報にそれぞれ含まれる各色調情報を各画像における複数位置で比較すればよく、全ての画素位置毎に比較する構成としてもよいし、全ての画素位置ではなく所定の複数の画素位置のみで比較する構成としても構わない。
また、情報伝送手段としては、ＵＳＢ(Universal Serial Bus)ケーブルやＬＡＮ(Local Area Network)ケーブル等の有線にて情報を伝送する規格に限らず、無線媒体（電波、音、赤外線等）を介して情報を伝送する規格も含むものである。
【０００８】
本発明によれば、画像表示システムにおいて、情報処理装置は非変化領域判定部、焼き付け領域判定部、および焼き付け補正処理部を備え、液晶表示装置は液晶素子および駆動制御部を備えているので、以下に示すように、液晶表示装置に画像を表示させることができる。
先ず、情報処理装置側にて、以下に示すように、画像情報を処理して送信する。
すなわち、非変化領域判定部は、従前画像情報および後続画像情報にそれぞれ含まれる各色調情報を従前画像情報および後続画像情報に対応する各画像における所定の複数位置で比較して、各色調情報の変化が所定の関係を有する位置で構成される領域を非変化領域として判定する。
次に、焼き付け領域判定部は、非変化領域判定部にて継続して非変化領域であると判定された継続期間（例えば、フレーム数等）、および所定の許容期間（例えば、フレーム数等）を比較して、継続期間が許容期間以上となる領域を液晶素子における画面に焼き付けが発生した、あるいは、焼き付けが発生し得る焼き付け領域として判定する。
そして、焼き付け補正処理部は、最新の最新画像情報に対して、焼き付け領域判定部にて判定された焼き付け領域に所定の画像処理等の焼き付け補正処理を実施する。また、情報処理装置は、情報伝送手段を介して焼き付け補正処理部にて焼き付け補正処理が施された処理済み画像情報を液晶表示装置側に送信する。
【０００９】
次に、液晶表示装置側にて、以下に示すように、画像を表示する。
すなわち、駆動制御部は、情報処理装置側から送信された処理済み画像情報を取得する。
そして、駆動制御部は、処理済み画像情報に基づいて液晶素子に所定の電圧を印加して処理済み画像情報に基づく光学像（画像）を表示させる。
【００１０】
以上のような構成により、情報処理装置側において非変化領域の判定、焼き付け領域の判定、および焼き付け補正処理を実施し、液晶表示装置側では情報処理装置側にて処理された処理済み画像情報を取得し該処理済み画像情報に基づく画像を表示するだけであるので、従来のように液晶表示装置のハードウェア構成に焼き付け抑制回路等を新たに設ける必要がなく、液晶表示装置の構成の簡素化および製造コストの低減を図りつつ、液晶素子における画面の焼き付けによる画質劣化を効果的に抑制できる。また、例えば、情報処理装置としてパーソナルコンピュータ（以下、ＰＣと記載する）を利用する場合、ＰＣは元来からＧＰＵ(Graphic Processing Unit)等のグラフィック処理機能を有しているので、特別に画像処理機能を新たに設ける必要がなく、ＧＰＵ等のソフトウェア制御により非変化領域の判定、焼き付け領域の判定、および焼き付け補正処理を高速かつ高精度に実施できる。
【００１１】
本発明の画像表示システムでは、前記情報処理装置は、全ての色調を前記液晶素子に印加する電圧値のレベルに応じて区分けした複数のグループに関する焼付補正情報を記憶する焼付補正情報記憶部を備え、前記非変化領域判定部は、前記従前画像情報および前記後続画像情報にそれぞれ含まれる各色調情報を前記従前画像情報および前記後続画像情報に対応する各画像における所定の複数位置で比較して、前記各色調情報に基づく各色調が前記焼付補正情報に基づく前記複数のグループのうち同一のグループに属している位置で構成される領域を非変化領域として判定することが好ましい。
ところで、非変化領域の判定方法としては、例えば、従前画像情報および後続画像情報にそれぞれ含まれる各色調情報を従前画像情報および後続画像情報に対応する各画像における所定の複数位置で比較して、各色調情報に基づく各色調の変化量を算出し、該変化量が所定の閾値以下である位置で構成される領域を非変化領域として判定する構成も考えられる。しかしながら、このような構成では、各色調の変化量を算出し、変化量を所定の閾値と比較する処理が必要となり、処理負荷が増大し迅速に非変化領域を判定することが難しい。
本発明では、情報処理装置は、焼付補正情報を記憶する焼付補正情報記憶部を備える。ここで、焼付補正情報は、全ての色調（例えば、階調値）を液晶素子に印加する電圧値のレベルに応じて区分けした複数のグループに関する情報である。そして、非変化領域判定部は、従前画像情報および後続画像情報の各色調情報を所定の複数位置で比較して、各色調情報に基づく各色調が焼付補正情報に基づく複数のグループのうち同一のグループに属している位置で構成される領域を非変化領域として判定する。このことにより、上述したような各色調の変化量を算出し変化量を所定の閾値と比較することで非変化領域を判定する構成と比較して、処理負荷を軽減させ迅速に非変化領域を判定できる。
【００１２】
ところで、液晶素子における画面の焼き付けは、液晶素子に印加する電圧値が高い程、発生しやすい。
そこで、焼付補正情報としては、例えば、全ての色調を液晶素子に印加する電圧値が高くなるにしたがってグループに属する色調の数が多くなるように区分けした情報とすることが好ましい。このように焼付補正情報を設定しておけば、非変化領域判定部は、高レベル（印加する電圧値の高いレベル）のグループに属する色調では多少の変動があったとしても同一のグループとして判断し、非変化領域を的確に判定できる。一方、非変化領域判定部は、低レベル（印加する電圧値の低いレベル）のグループに属する色調では僅かな変化でも別のグループとして判断するため、不要に非変化領域を判定することを回避できる。したがって、焼き付け領域判定部および焼き付け補正処理部において、非変化領域判定部にて的確に判定された非変化領域に基づいて、適切に焼き付け補正処理を実施できる。
【００１３】
本発明の画像表示システムでは、前記焼付補正情報は、前記複数のグループに対して各前記許容期間が個別に関連付けられた情報であり、前記焼き付け領域判定部は、前記非変化領域判定部にて継続して非変化領域であると判定された継続期間と、前記従前画像情報および前記後続画像情報にそれぞれ含まれ前記非変化領域に対応する各色調情報に基づく各色調が属している前記グループに関連付けられた前記許容期間とを比較して、前記継続期間が前記許容期間以上となる領域を前記焼き付け領域として判定することが好ましい。
ところで、液晶素子における画面の焼き付けは、以下に示す発生傾向がある。
すなわち、液晶素子に印加する電圧値が高い場合には、焼き付けが比較的短期間で発生する。一方、液晶素子に印加する電圧値が低い場合には、液晶素子に印加する電圧値が高い場合に比較して、長期間、液晶素子に電圧を印加しても焼き付けが発生しにくい。
【００１４】
本発明では、焼付補正情報は、複数のグループに対して各許容期間が個別に関連付けられた情報である。例えば、焼付補正情報を、液晶素子に印加する電圧値が高いレベルのグループに向うにしたがって期間が短くなるように各許容期間が各グループに対して個別に関連付けられた情報とする。そして、焼き付け領域判定部は、継続期間と、従前画像情報および後続画像情報にそれぞれ含まれる各色調情報において、前記非変化領域に対応する各色調情報に基づく各色調が属しているグループに関連付けられた許容期間を比較して、焼き付け領域を判定する。このことにより、焼き付け領域判定部にて、液晶素子における画面の焼き付けの発生傾向に合わせて、焼き付け領域を的確に判定できる。したがって、焼き付け補正処理部において、焼き付け領域判定部にて的確に判定された焼き付け領域に基づいて、適切に焼き付け補正処理を実施できる。
【００１５】
本発明の画像表示システムでは、前記焼付補正情報記憶部は、前記非変化領域判定部にて比較する前記所定の複数位置毎にそれぞれ前記焼付補正情報を記憶していることが好ましい。
ところで、液晶素子における画面の焼き付けは、画面内の位置（画素位置）によって発生傾向が異なる。
本発明では、焼付補正情報記憶部は、非変化領域判定部にて比較する所定の複数位置毎にそれぞれ焼付補正情報を記憶している。このことにより、非変化領域判定部および／または焼き付け領域判定部は、位置に応じた焼付補正情報を用いることで、より的確に非変化領域の判定および／または焼き付け領域の判定を実施できる。したがって、焼き付け補正処理部において、より的確に判定された非変化領域および／または焼き付け領域に基づいて、適切に焼き付け補正処理を実施できる。
【００１６】
本発明の画像表示システムでは、前記焼き付け補正処理部は、前記最新画像情報に含まれる色調情報に対して、前記焼き付け領域に所定のオフセット値を減算することで前記焼き付け補正処理を実施して処理済み画像情報を順次、出力することが好ましい。
本発明では、焼き付け補正処理部は、最新画像情報に含まれる色調情報に対して、焼き付け領域に所定のオフセット値を減算することで焼き付け補正処理を実施する。このため、液晶表示装置側では、液晶素子における焼き付け領域に対して、オフセット値が減算された色調情報に基づく電圧を印加することとなる。したがって、液晶素子の焼き付け領域に内部電界による影響を相殺した電圧を印加でき、簡単な処理で焼き付け補正処理を実施できる。
【００１７】
本発明の画像表示システムでは、前記情報処理装置は、全ての色調を前記液晶素子に印加する電圧値のレベルに応じて区分けした複数のグループに関する焼付補正情報を記憶する焼付補正情報記憶部を備え、前記焼付補正情報は、前記複数のグループに対して各前記オフセット値が個別に関連付けられた情報であり、前記焼き付け補正処理部は、前記最新画像情報に含まれる色調情報に対して、前記焼き付け領域に、前記従前画像情報および前記後続画像情報にそれぞれ含まれ前記焼き付け領域に対応する各色調情報に基づく各色調が属している前記グループに関連付けられた前記オフセット値を減算することで前記焼き付け補正処理を実施して処理済み画像情報を順次、出力することが好ましい。
ところで、液晶素子における画面の焼き付けは、以下に示す発生傾向がある。
すなわち、液晶素子に印加する電圧値が高い場合には、液晶により強い内部電界が発生する。一方、液晶素子に印加する電圧値が低い場合には、液晶素子に印加する電圧値が高い場合に比較して、発生する内部電界が小さい。したがって、液晶素子に印加する電圧値によって焼きつきの強さは異なる。
【００１８】
本発明では、情報処理装置は、焼付補正情報を記憶する焼付補正情報記憶部を備える。ここで、焼付補正情報は、全ての色調（例えば、階調値）を液晶素子に印加する電圧値のレベルに応じて区分けした複数のグループに関する情報である。また、焼付補正情報は、複数のグループに対して各オフセット値が個別に関連付けられた情報である。例えば、焼付補正情報を、液晶素子に印加する電圧値が高いレベルのグループに向うにしたがって値が大きくなる各オフセット値が各グループに対して個別に関連付けられた情報とする。そして、焼き付け補正処理部は、最新画像情報に含まれる色調情報に対して、焼き付け領域に、従前画像情報および後続画像情報にそれぞれ含まれる色調情報において、焼き付け領域に対応する各色調情報に基づく各色調が属しているグループに関連付けられたオフセット値を減算することで焼き付け補正処理を実施する。このことにより、焼き付け補正処理部にて、液晶に比較的強い内部電界が発生している場合には比較的大きいオフセット値を用い、液晶に比較的弱い内部電界が発生している場合には比較的小さいオフセット値を用いて焼き付け補正処理を実施でき、液晶素子における画面の焼き付けの発生傾向に合わせて適切に焼き付け補正処理を実施できる。
【００１９】
本発明の画像表示システムでは、前記情報処理装置は、全ての色調を前記液晶素子に印加する電圧値のレベルに応じて区分けした複数のグループに関する焼付補正情報と、異なる前記グループ間に関するグループ間情報に対してそれぞれ個別に各前記オフセット値が関連付けられたオフセット値情報とを記憶する焼付補正情報記憶部を備え、前記焼き付け補正処理部は、前記最新画像情報に含まれる色調情報に対して、前記焼き付け領域に、前記従前画像情報および前記後続画像情報にそれぞれ含まれ前記焼き付け領域に対応する各色調情報に基づく各色調が属している遷移前グループと、前記最新画像情報に含まれ前記焼き付け領域に対応する色調情報に基づく色調が属している遷移先グループとのグループ間に関する前記グループ間情報に関連付けられた前記オフセット値を減算することで前記焼き付け補正処理を実施して処理済み画像情報を順次、出力することが好ましい。
ところで、液晶素子における画面に焼き付けが発生した場合には、該発生時に液晶素子に印加していた電圧値（色調に対応）と、発生後に液晶素子に印加する電圧値（色調に対応）との変化幅によって、液晶に発生した内部電界が同一であっても利用者が認識する焼き付けの効果は異なるものである。
【００２０】
本発明では、焼付補正情報記憶部は、焼付補正情報およびオフセット値情報を記憶する。ここで、焼付補正情報は、全ての色調（例えば、階調値）を液晶素子に印加する電圧値のレベルに応じて区分けした複数のグループに関する情報である。また、オフセット値情報は、異なるグループ間に関するグループ間情報に対してそれぞれ個別に各オフセット値が関連付けられた情報である。例えば、オフセット値情報として、液晶素子に印加する電圧値が高いレベルのグループと液晶素子に印加する電圧値が低いレベルのグループとの較差（レベル間の差）が大きいグループ間情報に、より大きいオフセット値が関連付けられた情報とする。そして、焼き付け補正処理部は、焼き付けの発生時に液晶素子に印加していた電圧値に相当する、従前画像情報および後続画像情報にそれぞれ含まれ焼き付け領域に対応する各色調情報に基づく各色調が属している遷移前グループを認識する。また、焼き付け補正処理部は、焼き付けの発生後に液晶素子に印加する電圧値に相当する、最新画像情報に含まれ焼き付け領域に対応する色調情報に基づく色調が属している遷移先グループを認識する。そして、焼き付け補正処理部は、最新画像情報に含まれる色調情報に対して、焼き付け領域に、認識した遷移前グループおよび遷移先グループのグループ間情報に関連付けられたオフセット値を減算することで焼き付け補正処理を実施する。このことにより、焼き付け補正処理部にて、焼き付けの発生時に液晶素子に印加していた電圧値と、発生後に液晶素子に印加する電圧値との変化幅が比較的大きい場合には比較的大きいオフセット値を用い、前記変化幅が比較的小さい場合には比較的小さいオフセット値を用いて焼き付け補正処理を実施でき、焼き付けの効果が利用者に認識されないように適切に焼き付け補正処理を実施できる。
【００２１】
本発明の画像表示システムでは、前記焼き付け補正処理部は、前記焼き付け領域判定部にて前記焼き付け領域が判定された後、前記オフセット値を時間的に次第に小さくして前記最新画像情報に対して前記焼き付け補正処理を実施して処理済み画像情報を順次、出力することが好ましい。
ところで、液晶素子における画面に焼き付けが発生した際に液晶に発生する内部電界は、時間に応じてその強さが減少する。
本発明では、焼き付け補正処理部は、焼き付け領域判定部にて焼き付け領域が判定された後、用いるオフセット値を時間的に次第に小さくしながら焼き付け補正処理を実施する。このことにより、液晶に発生する内部電界の時間変化に対応した焼き付け補正処理を実施でき、より適切に焼き付け補正処理を実施できる。
【００２２】
本発明の画像表示システムでは、前記焼き付け補正処理部は、前記最新画像情報に含まれる色調情報に対して、前記焼き付け領域に所定の範囲内で前記色調情報に基づく色調を変化させることで前記焼き付け補正処理を実施し、前記所定の範囲内で前記色調が変動する前記処理済み画像情報を順次、出力することが好ましい。
本発明では、焼き付け補正処理部は、最新画像情報に含まれる色調情報に対して、液晶素子に焼き付けが発生し得る焼き付け領域に所定の範囲内で色調情報に基づく色調を変化させることで焼き付け補正処理を実施し、所定の範囲内で色調が変動する処理済み画像情報を順次、出力する。このため、液晶表示装置側では、液晶素子における焼き付けが発生し得る焼き付け領域に対して、電圧値を所定の範囲内で変動させながら印加することとなる。したがって、液晶素子における焼き付けが発生し得る焼き付け領域に対して、一定の電圧を印加することを回避でき、すなわち、液晶素子における画面に焼き付けが発生することを効率的に抑制できる。
【００２３】
本発明の画像表示システムでは、前記焼き付け補正処理部は、前記最新画像情報に含まれる色調情報に対して、前記焼き付け領域に、ＹＣｂＣｒ色空間におけるＹ値を一定に保ちつつＣｂ値およびＣｒ値を所定の範囲内で変化させることで前記焼き付け補正処理を実施し、ＹＣｂＣｒ色空間におけるＹ値が一定でかつ前記所定の範囲内でＣｂ値およびＣｒ値が変動する前記処理済み画像情報を順次、出力することが好ましい。
本発明では、焼き付け補正処理部は、最新画像情報に含まれる色調情報に対して、液晶素子に焼き付けが発生し得る焼き付け領域に、ＹＣｂＣｒ色空間におけるＹ値を一定に保ちつつＣｂ値およびＣｒ値を所定の範囲内で変化させることで焼き付け補正処理を実施し、ＹＣｂＣｒ色空間におけるＹ値が一定でかつ所定の範囲内でＣｂ値およびＣｒ値が変動する処理済み画像情報を順次、出力する。このことにより、液晶表示装置に表示される画像は、ＹＣｂＣｒ色空間におけるＹ値が一定であるため、利用者に認識されずに焼き付け補正処理部にて焼き付け補正処理を実施できる。
【００２４】
本発明の画像表示システムでは、前記情報処理装置は、前記画像情報に対して所定の画像補正処理を実施する画像補正処理部と、前記画像補正処理部にて画像補正処理が施された画像情報を順次、記憶する画像情報記憶部とを備え、前記非変化領域判定部は、前記画像情報記憶部に記憶された画像情報のうち前記液晶素子にて表示された光学像に対応する従前の従前画像情報と、前記画像補正処理部にて画像補正処理が施され前記従前画像情報の１つ後の後続画像情報とにそれぞれ含まれる各色調情報を前記従前画像情報および前記後続画像情報に対応する各画像における所定の複数位置で比較して、前記各色調情報の変化が所定の関係を有する位置で構成される領域を非変化領域として判定することが好ましい。
本発明では、情報処理装置は、例えば、形状変換処理や色調補正処理等の画像補正処理を実施する画像補正処理部と、画像補正処理部にて画像補正処理が施された画像情報を順次、記憶する画像情報記憶部とを備える。そして、非変化領域判定部は、画像情報記憶部に記憶された従前画像情報、および画像補正処理部にて画像補正処理が施された後続画像情報に基づいて非変化領域を判定する。このことにより、非変化領域判定部は、画像情報に対して画像補正処理が施された後に、非変化領域を判定するので、例えば前記画像補正処理が施される前に非変化領域を判定する構成と比較して、より的確に非変化領域を判定できる。したがって、焼き付け領域判定部および焼き付け補正処理部において、非変化領域判定部にて的確に判定された非変化領域に基づいて、適切に焼き付け補正処理を実施できる。
【００２５】
本発明の画像表示システムでは、前記液晶表示装置にて表示された画像を撮像する撮像装置を備え、前記情報処理装置は、前記撮像装置にて撮像された画像に関する画像情報を順次、記憶する画像情報記憶部を備え、前記非変化領域判定部は、前記画像情報記憶部に記憶された画像情報のうち、前記液晶素子にて表示された光学像に対応する従前の従前画像情報、および前記従前画像情報の１つ後の後続画像情報とにそれぞれ含まれる各色調情報を前記従前画像情報および前記後続画像情報に対応する各画像における所定の複数位置で比較して、前記各色調情報の変化が所定の関係を有する位置で構成される領域を非変化領域として判定することが好ましい。
本発明では、画像表示システムは、撮像装置を備える。また、情報処理装置は、撮像装置にて撮像された画像に関する画像情報を順次、記憶する画像情報記憶部を備える。そして、非変化領域判定部は、画像情報記憶部に記憶された従前画像情報および後続画像情報に基づいて非変化領域を判定する。このことにより、例えば、液晶表示装置側において、処理済み画像情報に対して所定の画像補正処理が施された場合であっても、該画像補正処理が施された画像を撮像装置にて撮像し、撮像装置にて撮像された従前画像情報および後続画像情報に基づいて非変化領域判定部が非変化領域を判定するので、より的確に非変化領域を判定できる。したがって、焼き付け領域判定部および焼き付け補正処理部において、非変化領域判定部にて的確に判定された非変化領域に基づいて、適切に焼き付け補正処理を実施できる。
【００２６】
本発明の画像表示システムは、画像情報を処理する情報処理装置と、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムであって、前記情報処理装置は、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、前記非変化領域判定部にて継続して非変化領域であると判定された継続期間および所定の許容期間を比較して、前記継続期間が前記許容期間以上となる領域を前記液晶素子における画面の焼き付け領域として判定して前記焼き付け領域に関する焼き付け領域情報を出力する焼き付け領域判定部とを備え、前記液晶表示装置は、前記焼き付け領域判定部にて判定された焼き付け領域に関する焼き付け領域情報を取得し、最新の最新画像情報に対して、前記焼き付け領域情報に基づく焼き付け領域に焼き付け補正処理を実施して処理済み画像情報を出力する焼き付け補正処理部を備え、前記駆動制御部は、前記処理済み画像情報に基づいて前記液晶素子に所定の電圧を印加して前記処理済み画像情報に基づく光学像を表示させることを特徴とする。
【００２７】
ここで、非変化領域判定部における非変化領域の判定では、従前画像情報および後続画像情報にそれぞれ含まれる各色調情報を各画像における複数位置で比較すればよく、全ての画素位置毎に比較する構成としてもよいし、複数の画素位置のみで比較する構成としても構わない。
また、情報伝送手段としては、ＵＳＢケーブルやＬＡＮケーブル等の有線にて情報を伝送する規格に限らず、無線媒体（電波、音、赤外線等）を介して情報を伝送する規格も含むものである。
【００２８】
本発明によれば、画像表示システムにおいて、情報処理装置は非変化領域判定部および焼き付け領域判定部を備え、液晶表示装置は液晶素子、駆動制御部、および焼き付け補正処理部を備えているので、以下に示すように、液晶表示装置に画像を表示させることができる。
先ず、情報処理装置側にて、以下に示すように、画像情報を処理して送信する。
すなわち、非変化領域判定部は、従前画像情報および後続画像情報にそれぞれ含まれる各色調情報を従前画像情報および後続画像情報に対応する各画像における所定の複数位置で比較して、各色調情報の変化が所定の関係を有する位置で構成される領域を非変化領域として判定する。
そして、焼き付け領域判定部は、非変化領域判定部にて継続して非変化領域であると判定された継続期間（例えば、フレーム数等）、および所定の許容期間（例えば、フレーム数等）を比較して、継続期間が許容期間以上となる領域を液晶素子における画面に焼き付けが発生した、あるいは、焼き付けが発生し得る焼き付け領域として判定する。また、情報処理装置は、情報伝送手段を介して焼き付け領域判定部にて判定された焼き付け領域に関する焼き付け領域情報を液晶表示装置側に送信する。
【００２９】
次に、液晶表示装置側にて、以下に示すように、画像を表示する。
すなわち、焼き付け補正処理部は、情報処理装置側から送信された焼き付け領域情報を取得する。
また、焼き付け補正処理部は、最新の最新画像情報に対して、焼き付け領域情報に基づく焼き付け領域に焼き付け補正処理を実施して処理済み画像情報を出力する。
そして、駆動制御部は、処理済み画像情報に基づいて液晶素子に所定の電圧を印加して液晶素子に処理済み画像情報に基づく光学像（画像）を表示させる。
【００３０】
ところで、近年では、液晶表示装置側にＧＰＵ等のグラフィック処理機能を持たせて、液晶表示装置側にて画像情報に対して所定の画像補正処理を実施させる構成も提案されつつある。
例えば、液晶表示装置に設けられたＧＰＵ等に、焼き付け補正処理を実施する焼き付け補正処理部の機能を付加することで、従来のように液晶表示装置のハードウェア構成に焼き付け抑制回路等を新たに設ける必要がなく、液晶表示装置の構成の簡素化および製造コストの低減を図りつつ、液晶素子における画面の焼き付けによる画質劣化を効果的に抑制できる。また、ＧＰＵ等のソフトウェア制御により焼き付け補正処理を高速かつ高精度に実施できる。
【００３１】
本発明の画像表示方法は、画像情報を処理する情報処理装置と、電圧が印加されることで液晶の配列状態を変化させ前記液晶の配列状態に応じて入射光束を画素毎に変調して光学像を表示する液晶素子、および前記情報処理装置にて処理された前記画像情報に基づいて前記画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムを利用した画像表示方法であって、前記情報処理装置は、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、前記非変化領域判定ステップにて継続して非変化領域であると判定した継続期間および所定の許容期間を比較して、前記継続期間が前記許容期間以上となる領域を前記液晶素子における画面の焼き付け領域として判定する焼き付け領域判定ステップと、最新の最新画像情報に対して、前記焼き付け領域判定ステップにて判定した焼き付け領域に焼き付け補正処理を実施して処理済み画像情報を出力する焼き付け補正処理ステップとを実行し、前記液晶表示装置は、前記処理済み画像情報を取得する処理済み画像情報取得ステップと、前記処理済み画像情報に基づいて前記液晶素子に所定の電圧を印加して前記処理済み画像情報に基づく光学像を表示させる画像表示ステップとを実行することを特徴とする。
上述した本発明の画像表示方法は、上述した画像表示システムによって実施されるものであるので、上述した画像表示システムと同様の作用・効果を享受できる。
【００３２】
本発明の画像表示方法は、画像情報を処理する情報処理装置と、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置と、前記情報処理装置および前記画像表示装置間を情報の送受信可能に接続する情報伝送手段とを備えた画像表示システムを利用した画像表示方法であって、前記情報処理装置は、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、前記非変化領域判定ステップにて継続して非変化領域であると判定した継続期間および所定の許容期間を比較して、前記継続期間が前記許容期間以上となる領域を前記液晶素子における画面の焼き付け領域として判定して前記焼き付け領域に関する焼き付け領域情報を出力する焼き付け領域判定ステップとを実行し、前記液晶表示装置は、前記焼き付け領域情報を取得する焼き付け領域情報取得ステップと、最新の最新画像情報に対して、前記焼き付け領域情報に基づく焼き付け領域に焼き付け補正処理を実施して処理済み画像情報を出力する焼き付け補正処理ステップと、前記処理済み画像情報に基づいて前記液晶素子に所定の電圧を印加して前記処理済み画像情報に基づく光学像を表示させる画像表示ステップとを実行することを特徴とする。
上述した本発明の画像表示方法は、上述した画像表示システムによって実施されるものであるので、上述した画像表示システムと同様の作用・効果を享受できる。
【００３３】
本発明の情報処理装置は、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置に前記画像情報を出力して前記液晶素子に前記画像情報に基づく光学像を表示させる情報処理装置であって、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部と、最新の最新画像情報に対して、前記焼き付け領域判定部にて判定された焼き付け領域に焼き付け補正処理を実施して処理済み画像情報を出力する焼き付け補正処理部とを備えていることを特徴とする。
上述した本発明の情報処理装置では、上述した画像表示システムに好適な情報処理装置とすることができる。
【００３４】
本発明の制御プログラムは、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置に前記画像情報を出力して前記液晶素子に前記画像情報に基づく光学像を表示させる情報処理装置の制御プログラムであって、前記情報処理装置に組み込まれたコンピュータに、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定ステップと、前記非変化領域判定ステップにて継続して非変化領域であると判定した継続期間および所定の許容期間を比較して、前記継続期間が前記許容期間以上となる領域を前記液晶素子における画面の焼き付け領域として判定する焼き付け領域判定ステップと、最新の最新画像情報に対して、前記焼き付け領域判定ステップにて判定した焼き付け領域に焼き付け補正処理を実施して処理済み画像情報を出力する焼き付け補正処理ステップとを実行させることを特徴とする。
【００３５】
本発明の記録媒体は、上述した制御プログラムがコンピュータに読取可能に記録されていることを特徴とする。
【００３６】
以上のような構成の制御プログラムおよび記録媒体は、上述した画像表示方法を実施するために利用されるので、上述した画像表示方法と同様の作用・効果を享受できる。
【００３７】
本発明の液晶表示装置は、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置であって、前記液晶素子における画面の焼き付け領域に関する焼き付け領域情報を取得し、最新の最新画像情報に対して、前記焼き付け領域情報に基づく焼き付け領域に焼き付け補正処理を実施して処理済み画像情報を出力する焼き付け補正処理部を備え、前記駆動制御部は、前記処理済み画像情報に基づいて前記液晶素子に所定の電圧を印加して前記処理済み画像情報に基づく光学像を表示させることを特徴とする。
上述した本発明の液晶表示装置では、上述した画像表示システムに好適な液晶表示装置とすることができる。
【００３８】
本発明の液晶表示装置では、前記液晶素子にて表示された光学像に対応する従前の従前画像情報、および前記従前画像情報の１つ後の後続画像情報にそれぞれ含まれる各色調情報を前記従前画像情報および前記後続画像情報に対応する各画像における所定の複数位置で比較して、前記各色調情報の変化が所定の関係を有する位置で構成される領域を非変化領域として判定する非変化領域判定部と、前記非変化領域判定部にて継続して非変化領域であると判定された継続期間および所定の許容期間を比較して、前記継続期間が前記許容期間以上となる領域を前記液晶素子における画面の焼き付け領域として判定する焼き付け領域判定部とを備えていることが好ましい。
本発明によれば、液晶表示装置は、非変化領域判定部、焼き付け領域判定部、および焼き付け補正処理部を備えているので、焼き付け補正処理を実施するための構成を全て液晶表示装置に設けることで、上述した情報処理装置と情報伝送手段を介して液晶表示装置を接続しなくても、液晶表示装置単体で焼き付け補正処理のみならず、形状変換処理や色調補正処理等の画像補正処理等の全ての処理が可能となり、利便性の向上が図れる。
【００３９】
本発明の制御プログラムは、電圧が印加されることで液晶の配列状態を変化させ前記液晶の配列状態に応じて入射光束を画素毎に変調して光学像を表示する液晶素子、および画像情報に含まれる色調を表す画素毎の色調情報に基づく電圧を前記液晶素子に印加する駆動制御部を有する液晶表示装置の制御プログラムであって、前記液晶表示装置に組み込まれたコンピュータに、前記液晶素子における画面の焼き付け領域に関する焼き付け領域情報を取得する焼き付け領域情報取得ステップと、最新の最新画像情報に対して、前記焼き付け領域情報に基づく焼き付け領域に焼き付け補正処理を実施して処理済み画像情報を出力する焼き付け補正処理ステップと、前記処理済み画像情報に基づいて前記液晶素子に所定の電圧を印加して前記液晶素子に前記処理済み画像情報に基づく光学像を表示させる画像表示ステップとを実行させることを特徴とする。
【００４０】
本発明の記録媒体は、上述した制御プログラムがコンピュータに読取可能に記録されていることを特徴とする。
【００４１】
以上のような構成の制御プログラムおよび記録媒体は、上述した画像表示方法を実施するために利用されるので、上述した画像表示方法と同様の作用・効果を享受できる。
【発明を実施するための最良の形態】
【００４２】
[第１実施形態]
以下、本発明の実施の一形態を図面に基づいて説明する。
〔プロジェクションシステムの構成〕
図１は、画像表示システムとしてのプロジェクションシステム１の外観図である。
プロジェクションシステム１は、図１に示すように、映像ソースの画像に所定の画像処理を行ったうえで画像データ信号を出力する情報処理装置としてのＰＣ２と、ＰＣ２からの画像データ信号に基づいて現画像フレームを生成してスクリーンＳｃに向けて投射する液晶表示装置としてのプロジェクタ３と、ＰＣ２およびプロジェクタ３間をデータの送受信可能に接続する情報伝送手段としてのＵＳＢケーブル４とを備える。
なお、情報伝送手段としては、デジタル信号を伝送可能とする信号伝送路を有するものであればよく、ＵＳＢケーブルの他、ＬＡＮケーブル等の有線でデジタル信号を伝送する各規格、無線媒体（電波、音、赤外線等）を介してデジタル信号を伝送する規格を採用しても構わない。
【００４３】
〔ＰＣの構成〕
図２は、ＰＣ２の概略構成を示すブロック図である。
ＰＣ２は、図２に示すように、操作部２１と、表示部２２と、制御装置２３とで大略構成されている。
操作部２１は、例えば、キーボードおよびマウス等で入力操作される各種操作ボタンを有している。この操作ボタンの入力操作を実施することにより、制御装置２３を適宜動作させるとともに、例えば、表示部２２に表示される情報に対して、制御装置２３の動作内容の設定等が実施される。そして、利用者による操作部２１の入力操作により、操作部２１から適宜所定の操作信号を制御装置２３に出力する。
なお、この操作部２１としては、操作ボタンの入力操作に限らず、例えば、タッチパネルによる入力操作や、音声による入力操作等により、各種条件を設定入力する構成としてもできる。
【００４４】
表示部２２は、制御装置２３に制御され、所定の情報を表示する。例えば、制御装置２３にて処理された情報の表示、または、操作部２１の入力操作により、制御装置２３の後述するメモリに格納する情報を設定入力または更新する際、制御装置２３から出力されるメモリ内のデータを適宜表示させる。この表示部２２は、例えば、液晶や有機ＥＬ(Electroluminescence)、ＰＤＰ(Plasma Display Panel)、ＣＲＴ(Cathode-Ray Tube)等が用いられる。
【００４５】
制御装置２３は、操作部２１からの操作信号の入力に応じて、所定のプログラムを実行し、ＰＣ２全体を制御する。この制御装置２３は、図２に示すように、ＵＳＢコントローラ２３１と、メインメモリ２３２と、補助メモリ２３３と、画像補正パラメータ記憶部２３４と、画像処理部２３５と、制御部本体２３６と、焼付補正情報記憶部２３７と、画像情報記憶部２３８等を備える。これら各構成要素２３１〜２３８は、図示しないバスにより接続され、必要な情報が伝送可能に構成されている。
ＵＳＢコントローラ２３１は、ＰＣ２側のＵＳＢコネクタＣ１（図２）とプロジェクタ３側のＵＳＢコネクタＣ２（図４参照）とにＵＳＢケーブル４が接続されることでＵＳＢケーブル４を介してプロジェクタ３と電気的に接続し、プロジェクタ３とＵＳＢ規格でデータの入出力を実施する部分である。
ここで、ＵＳＢ（ＵＳＢケーブル４）は、具体的な図示は省略するが、Ｄ＋／Ｄ−の信号ラインと、電力伝送路としての電源ラインのＶＣＣ（＋５Ｖ）およびＧＮＤの４線で構成される。そして、ＵＳＢ（ＵＳＢケーブル４）により、プロジェクタ３との間でデータの入出力を可能とするとともに、ＰＣ２内部の図示しない電源部（処理装置側電源部）から電源ラインを介してプロジェクタ３に電力を供給可能としている。
なお、本実施形態では、情報伝送手段としてＵＳＢケーブル４を採用しているため、制御装置２３にＵＳＢコントローラ２３１を設けたが、情報伝送手段としてＵＳＢケーブル４以外の規格を採用した場合には、該規格でデータの送受信を実施可能とする送受信部を設ければよい。
【００４６】
メインメモリ２３２は、各種データを記憶する。各種データとしては、例えば、操作部２１から出力された操作信号、ＵＳＢコントローラ２３１を介して入力したデータ、画像処理部２３５および制御部本体２３６等で処理するためのデータ等がある。
補助メモリ２３３としては映像ソースのメディアが利用され、例えば、デジタルデータとして映像と音声とを記録したＤＶＤ(Digital Versatile Disc)等が例示できる。
画像補正パラメータ記憶部２３４は、プロジェクタ３の特性に応じた画像補正のための補正パラメータを記憶している。
画像補正パラメータ記憶部２３４に記憶される補正パラメータとしては、例えば、台形補正、輝度ムラ、色ムラ、γ補正等のための各種補正パラメータが例示できる。
【００４７】
なお、これらの補正パラメータを記録したメモリカードやＣＤ−ＲＯＭをＰＣ２に挿入して、画像補正パラメータ記憶部２３４に補正パラメータをインストールしてもよい。または、ＰＣ２がＵＳＢケーブル４を介して所定の補正パラメータをプロジェクタ３から読み取って画像補正パラメータ記憶部２３４に記憶してもよい。
【００４８】
焼付補正情報記憶部２３７は、画像処理部２３５において、プロジェクタ３を構成する後述する液晶ライトバルブにおける画面の焼き付け補正処理を実施するための焼付補正情報を記憶する。
図３は、焼付補正情報の一例を示す図である。
焼付補正情報は、図３の例に示すように、全ての色調（図３では、２５６階調）が前記液晶ライトバルブに印加する電圧値のレベルに応じて複数のグループ（図３では、１０個のグループ）に区分けされた情報である。ここで、全ての色調は、図３の例に示すように、前記液晶ライトバルブに印加する電圧値が高くなるにしたがって（図３の例では、高階調に向うにしたがって）、グループに属する階調の数が多くなるように区分けされている。すなわち、図３の例に示すように、グループ名が「０」では０階調〜６階調の７つの階調が属し、グループ名が「１」では７階調〜１６階調の１０個の階調が属し、グループ名が「２」では１７階調〜３０階調の１４個の階調が属し、順次、高い階調が属するグループに向うにしたがって、属する階調の数が多くなっている。
【００４９】
画像情報記憶部２３８は、画像処理部２３５において形状変換処理および色調補正処理が施された画像データを順次、記憶する。
【００５０】
制御部本体２３６は、例えば、ＣＰＵ(Central Processing Unit)等を含んで構成され、メインメモリ２３２等に記憶された所定のプログラムにしたがって、ＰＣ２全体を制御する部分である。
【００５１】
画像処理部２３５は、例えば、ＧＰＵ(Graphic Processing Unit)等を含んで構成され、画像データに対して上述した補正パラメータを用いて画像補正処理を実施するとともに、上述した焼付補正情報を用いて焼き付け補正処理を実施する部分である。この画像処理部２３５は、図２に示すように、画像生成部２３５１と、形状変換処理部２３５２と、色調補正処理部２３５３と、非変化領域判定部２３５４と、焼き付け領域判定部２３５５と、焼き付け補正処理部２３５６等を備える。なお、形状変換処理部２３５２および色調補正処理部２３５３が本発明に係る画像補正処理部に相当する。
画像生成部２３５１は、補助メモリ２３３からの映像ソースに対して記録方式に応じた解凍を行ってフレーム毎に画像データを復号する。例えば、復号することで各画素に対して８ビットの色調情報（色調データ）が与えられている画像情報（画像データ）が得られる。そして、画像生成部２３５１は、復号した画像データを形状変換処理部２３５２に出力する。
【００５２】
形状変換処理部２３５２は、画像生成部２３５１による復号された画像データに対して形状変換処理、すなわち、台形補正、スクリーンＳｃが曲面である場合にスクリーンＳｃの形状に応じて行う補正、プロジェクタ３に内蔵されたレンズに起因する歪みの補正等を実施する。そして、形状変換処理部２３５２は、形状変換処理を施した画像データを色調補正処理部２３５３に出力する。
【００５３】
色調補正処理部２３５３は、形状変換処理部２３５２から出力された画像データに対して、プロジェクタ３の色特性に応じた画像データの色調データを変換補正（色調補正処理）する。色調補正処理としては、例えば、色変換、γ補正、ＶＴ−γ補正、色ムラ補正等が例示できる。例えば、色調補正処理を施すことで、当初は８ビットであった色調データを１０ビット以上の精度に補正することが例として挙げられる。そして、色調補正処理部２３５３は、上述した画像補正処理（形状変換処理および色調補正処理）が施された画像データを画像情報記憶部２３８に順次、記憶させる。なお、記憶される画像データとしては、最新の数フレーム分で十分であり、古くなったものは順次消去していく。また、色調補正処理部２３５３は、上述した画像補正処理（形状変換処理および色調補正処理）が施された画像データ（最新画像データ）を順次、非変化領域判定部２３５４および焼き付け補正処理部２３５６に出力する。
【００５４】
非変化領域判定部２３５４は、色調補正処理部２３５３から順次、出力される最新画像データ（後続画像データ）、および画像情報記憶部２３８に記憶された数フレーム分の画像データのうち前記最新画像データの１つ前の従前画像データにそれぞれ含まれる各色調データを対応する画素毎に全ての画素に亘って比較して、各色調データの変化が所定の関係を有する画素位置で構成される領域を非変化領域として判定する。
より具体的に、本実施形態では、非変化領域判定部２３５４は、最新画像データおよび従前画像データにそれぞれ含まれる各色調データを対応する画素毎に全ての画素に亘って比較して、各色調データに基づく各色調（図３の例では、階調値）が焼付補正情報に基づく複数のグループのうち同一のグループに属している画素位置で構成される領域を非変化領域として判定する。
【００５５】
焼き付け領域判定部２３５５は、非変化領域の継続期間（例えば、フレーム数等）を計数する。また、焼き付け領域判定部２３５５は、計数した継続期間が所定の許容期間（例えば、フレーム数）以上となる領域を、前記液晶ライトバルブにおける画面に焼き付けが発生した焼き付け領域として判定する。
なお、本実施形態では、前記許容期間は、単一の値で設定され、例えば、メインメモリ２３２等に記憶されている。
【００５６】
焼き付け補正処理部２３５６は、色調補正処理部２３５３から順次、出力される最新画像データに含まれる色調データに対して、焼き付け領域判定部２３５５にて判定された焼き付け領域に所定のオフセット値を減算することで焼き付け補正処理を実施する。そして、焼き付け補正処理部２３５６は、焼き付け領域判定部２３５５にて焼き付け領域が判定された後、所定の補正期間（例えば、所定のフレーム数）、継続して、色調補正処理部２３５３から順次、出力される最新画像データに対して上述した焼き付け補正処理を実施して処理済み画像データを順次、出力する。そして、処理済み画像データは、ＵＳＢコントローラ２３１およびＵＳＢケーブル４を介してプロジェクタ３に順次、伝送される。
なお、焼き付け補正処理部２３５６は、上述したように、焼き付け領域判定部２３５５にて焼き付け領域が判定された後、補正期間、継続して、最新画像データに対して焼き付け補正処理を実施するため、前記補正期間中に、焼き付け領域判定部２３５５にて焼き付け領域が判定されていない状態でも、前記補正期間中は最新画像データに対して焼き付け補正処理を実施して処理済み画像データを順次、出力する。
また、焼き付け補正処理部２３５６は、焼き付け領域判定部２３５５にて焼き付け領域が判定されてから前記補正期間が経過した後に、焼き付け領域判定部２３５５にて焼き付け流域が判定されていない状態では、最新画像データに対して焼き付け補正処理を実施することなく、最新画像データを処理済み画像データとして、順次、出力する。
また、本実施形態では、前記オフセット値は、単一の値で設定され、例えば、メインメモリ２３２等に記憶されている。
【００５７】
〔プロジェクタの構成〕
図４は、プロジェクタ３の概略構成を示すブロック図である。
プロジェクタ３は、図４に示すように、画像投射部３１と、制御装置３２とで大略構成されている。
画像投射部３１は、制御装置３２による制御の下、光学像を形成してスクリーンＳｃに拡大投射する。この画像投射部３１は、図４に示すように、光源装置３１１と、液晶素子としての液晶ライトバルブ３１２と、投射光学装置３１３等を備える。
光源装置３１１は、制御装置３２による制御の下、光束を液晶ライトバルブ３１２に向けて射出する。この光源装置３１１は、光源ランプ３１１１と、ランプドライバ３１１２とを備える。
【００５８】
光源ランプ３１１１は、超高圧水銀ランプにて構成されている。なお、超高圧水銀ランプに限らず、メタルハライドランプ、キセノンランプ等の他の放電発光型の光源ランプを採用してもよい。さらに、放電発光型の光源ランプに限らず、発光ダイオード、レーザダイオード、有機ＥＬ素子、シリコン発光素子等の各種自己発光素子を採用してもよい。
ランプドライバ３１１２は、制御装置３２による制御の下、所定の駆動電圧で光源ランプ３１１１を駆動する。
【００５９】
液晶ライトバルブ３１２は、透過型の液晶パネルであり、制御装置３２からの駆動信号に基づいて電圧が印加されることで液晶セル（図示略）に封入された液晶（液晶分子）の配列状態を変化させ、光源ランプ３１１１から射出された光束を、透過若しくは遮断することによりＰＣ２にて処理された処理済み画像データに応じた光学像を投射光学装置３１３に射出する。
ここで、液晶に長時間、略一定の直流電圧を印加した場合には、液晶に内部電界が発生し固定されてしまう可能性がある。すなわち、印加電圧を変更した場合であっても、液晶に発生した内部電界によって以前表示した情報が加味された状態で表示されることとなり、画像の表示の跡が残像のように残ってしまうという問題、いわゆる焼き付けが発生する。そして、上述したＰＣ２での焼き付け補正処理は、液晶ライトバルブ３１２に生じる焼き付きを補正するものである。
【００６０】
投射光学装置３１３は、液晶ライトバルブ３１２から射出された光学像をスクリーンＳｃに向けて拡大投射する。
なお、図示は省略したが、プロジェクタ３は、ＲＧＢの３色に対応する３枚の液晶ライトバルブ３１２を備えている。また、光源装置３１１は、光源光を３色の光に分離する色光分離光学系を備えている。さらに、投射光学装置３１３は、３色の画像光を合成してカラー画像を表す光学像を生成する合成光学系を有している。なお、このような光学系の構成については、種々の一般的なプロジェクタの光学系の構成が利用可能である。
【００６１】
制御装置３２は、ＰＣ２側からの制御指令にしたがって、プロジェクタ３全体を制御する。この制御装置３２は、図４に示すように、ＵＳＢコントローラ３２１と、画像補正パラメータ記憶部３２２と、制御部本体３２３等を備える。これら各構成要素３２１〜３２３は、図示しないバスにより接続され、必要な情報が伝送可能に構成されている。
ＵＳＢコントローラ３２１は、ＰＣ２のＵＳＢコントローラ２３１と同様のものであり、ＰＣ２側のＵＳＢコネクタＣ１とプロジェクタ３側のＵＳＢコネクタＣ２とにＵＳＢケーブル４が接続されることでＵＳＢケーブル４を介してプロジェクタ３と電気的に接続し、プロジェクタ３とＵＳＢ規格でデータの入出力を実施する部分である。
なお、本実施形態では、情報伝送手段としてＵＳＢケーブル４を採用しているため、制御装置３２にＵＳＢコントローラ３２１を設けたが、情報伝送手段としてＵＳＢケーブル４以外の規格を採用した場合には、該規格でデータの送受信を実施可能とする送受信部を設ければよい。
【００６２】
画像補正パラメータ記憶部３２２は、プロジェクタ３の特性に応じた画像補正のための補正パラメータを記憶しており、補正パラメータとしては、例えば、台形補正、輝度ムラ、色ムラ、γ補正等のための各種パラメータが例示できる。
なお、ＰＣ２とプロジェクタ３とがＵＳＢケーブル４で接続された際には、ＰＣ２が画像補正パラメータ記憶部３２２に記憶された補正パラメータの情報を読み出して画像補正パラメータ記憶部２３４に記憶する。
【００６３】
制御部本体３２３は、例えば、ＣＰＵ等を含んで構成され、ＰＣ２側からの制御指令や図示しないメモリに記憶されたプログラムにしたがって、プロジェクタ３全体を制御する部分である。この制御部本体３２３は、図４に示すように、駆動制御部としての液晶パネル駆動制御部３２３１等を備える。
液晶パネル駆動制御部３２３１は、ＰＣ２側から送信された処理済み画像データを取得し、処理済み画像データに基づいて駆動信号を出力し、該処理済み画像データに含まれる色調データに基づく電圧を液晶ライトバルブ３１２に印加して処理済み画像データに基づく光学像を形成させる。
【００６４】
〔プロジェクションシステムの動作〕
次に、上述したプロジェクションシステム１の動作について図面を参照して説明する。
図５は、プロジェクションシステム１の動作を説明するフローチャートである。
なお、以下では、プロジェクションシステム１の動作のうち、焼き付け補正処理の動作を主に説明し、その他の動作については、説明を省略する。
また、以下では、ＰＣ２およびプロジェクタ３間が予めＵＳＢケーブル４にて接続され、順次、ＰＣ２側からプロジェクタ３側に画像データが送信され、プロジェクタ３から画像データに基づく光学像がスクリーンＳｃ上に投射（表示）されている状態とする。
【００６５】
図６は、非変化領域および焼き付け領域の判定方法の一例を示す図である。なお、図６では説明を簡略化するために１６個のみの画素を用い、以下では、１６個のみの画素での非変化領域および焼き付け領域の判定方法を説明する。また、図６の下段側に示す３つのデータは比較される各画像データを示し、図６の上段側に示す２つのデータは各画像データの比較結果を示すデータである。さらに、図６の下段側に示す各画像データの数値は色調データの値（階調値）を示し、図６の上段側に示す各データの数値は継続期間（継続したフレーム数）を示している。
先ず、非変化領域判定部２３５４は、色調補正処理部２３５３から順次、出力される最新画像データ、および画像情報記憶部２３８に記憶された数フレーム分の画像データのうち前記最新画像データの１つ前の従前画像データにそれぞれ含まれる各色調データを対応する画素毎に比較する（ステップＳ１）。
【００６６】
ステップＳ１の後、非変化領域判定部２３５４は、各色調データに基づく各色調が焼付補正情報に基づく複数のグループのうち同一のグループに属している画素位置があるか否かを判定する（ステップＳ２）。
ステップＳ２において、非変化領域判定部２３５４は、「Ｙ」と判定した場合、すなわち、各色調が焼付補正情報に基づく同一のグループに属している画素位置があると判定した場合には、該画素位置で構成される領域を非変化領域として判定する（ステップＳ３）。
すなわち、上述したステップＳ１〜Ｓ３の処理が本発明に係る非変化領域判定ステップに相当する。
【００６７】
ステップＳ３の後、焼き付け領域判定部２３５５は、継続期間の計数値を更新する（ステップＳ４）。
例えば、図６に示す例において、３つの画像データＤ１，Ｄ２，Ｄ３のうち中央の画像データＤ２が色調補正処理部２３５３から出力された最新画像データであり、左端の画像データＤ１が最新画像データの１つ前の従属画像データである場合には、以下に示すように、処理される。
【００６８】
ステップＳ３では、図６に示す例において、各画素位置Ｐ１〜Ｐ４における最新画像データＤ２の階調値（２００）と、各画素位置Ｐ１〜Ｐ４における従前画像データＤ１の階調値（２００）とが、焼付補正情報における同一グループ（図３に示す例ではグループ名：９）に属しているため、非変化領域判定部２３５４は、各画素位置Ｐ１〜Ｐ４で構成される領域Ａ１を非変化領域として判定する。
また、ステップＳ４では、図６に示す例において、焼き付け領域判定部２３５５は、非変化領域判定部２３５４に判定された非変化領域Ａ１の継続期間（継続したフレーム数）の計数値を上げ、「１」とする。また、焼き付け領域判定部２３５５は、非変化領域Ａ１以外の各画素位置Ｐ５〜Ｐ１６で構成される変化領域Ａ２の計数値を初期化し、「０」とする。
【００６９】
同様に、例えば、図６に示す例において、色調補正処理部２３５３から出力される最新画像データが３つの画像データＤ１，Ｄ２，Ｄ３のうち右端の画像データＤ３となり、中央の画像データＤ２が最新画像データの１つ前の従属画像データとなった場合には、以下に示すように、処理される。
ステップＳ３では、図６に示す例において、各画素位置Ｐ３，Ｐ４における最新画像データＤ３の階調値（２００）と、各画素位置Ｐ３，Ｐ４における従前画像データＤ２の階調値（２００）とが焼付補正情報における同一グループ（図３に示す例ではグループ名：９）に属し、さらに、各画素位置Ｐ５〜Ｐ１０における最新画像データＤ３の階調値（３０）と、各画素位置Ｐ５〜Ｐ１０における従属画像データＤ２の階調値（３０）とが焼付補正情報における同一グループ（図３に示す例ではグループ名：２）に属しているため、非変化領域判定部２３５４は、各画素位置Ｐ３〜Ｐ１０で構成される領域Ａ１を非変化領域として判定する。
また、ステップＳ４では、図６に示す例において、焼き付け領域判定部２３５５は、非変化領域判定部２３５４にて判定された非変化領域Ａ１の継続期間の計数値を上げ、各画素位置Ｐ３，Ｐ４で構成される非変化領域Ａ１１の継続期間を「２」とし、各画素位置Ｐ５〜Ｐ１０で構成される非変化領域Ａ１２の継続期間を「１」とする。また、焼き付け領域判定部２３５５は、非変化領域Ａ１以外の各画素位置Ｐ１，Ｐ２，Ｐ１１〜Ｐ１６で構成される変化領域Ａ２の計数値を初期化し、「０」とする。
【００７０】
ステップＳ４の後、焼き付け領域判定部２３５５は、継続期間の計数値が所定の許容期間以上となる領域（画素位置）があるか否かを判定する（ステップＳ５）。
ステップＳ５において、焼き付け領域判定部２３５５は、「Ｙ」と判定した場合、すなわち、継続期間の計数値が所定の許容期間以上となる領域があると判定した場合には、該領域を焼き付け領域として判定する（ステップＳ６）。すなわち、上述したステップＳ４〜Ｓ６の処理が本発明に係る焼き付け領域判定ステップに相当する。
例えば、図６に示す例において、所定の許容期間が「２」である場合には、上述したように、各画素位置Ｐ３，Ｐ４で構成される非変化領域Ａ１１の継続期間が「２」であるので、焼き付け領域判定部２３５５は、最新画像データＤ３における各画素位置Ｐ３，Ｐ４で構成される非変化領域Ａ１１を焼き付け領域として判定する。
【００７１】
ステップＳ６の後、焼き付け補正処理部２３５６は、色調補正処理部２３５３から順次、出力される最新画像データに含まれる色調データに対して、焼き付け領域判定部２３５５にて判定された焼き付け領域に所定のオフセット値を減算することで焼き付け補正処理を実施する（ステップＳ７：焼き付け補正処理ステップ）。そして、焼き付け補正処理部２３５６は、焼き付け領域判定部２３５５にて焼き付け領域が判定された後、所定の補正期間、継続して、色調補正処理部２３５３から順次、出力される最新画像データに対して上述した焼き付け補正処理を実施して処理済み画像データを順次、出力する。
【００７２】
ここで、ステップＳ２において、非変化領域判定部２３５４が「Ｎ」と判定した場合、すなわち、各色調が焼付補正情報に基づく同一のグループに属している画素位置がないと判定した場合には、焼き付け領域判定部２３５５は、全ての画素位置の継続期間の計数値を初期化する（ステップＳ８）。そして、焼き付け補正処理部２３５６は、従前のステップＳ５において焼き付け領域判定部２３５５にて焼き付け領域が判定されてから補正期間が経過していない場合には（ステップＳ９）、ステップＳ７において、補正期間中は、最新画像データに対して同一の焼き付け補正処理を実施して処理済み画像データを順次、出力する。
同様に、焼き付け補正処理部２３５６は、ステップＳ５において焼き付け領域判定部２３５５が「Ｎ」と判定し、すなわち、継続期間の計数値が所定の許容期間以上となる領域がないと判定しかつ、従前のステップＳ５において焼き付け領域判定部２３５５にて焼き付け領域が判定されてから補正期間が経過していない場合には（ステップＳ９）、ステップＳ７において、補正期間中は、最新画像データに対して同一の焼き付け補正処理を実施して処理済み画像データを順次、出力する。
【００７３】
ステップＳ７の後、ＰＣ２は、焼き付け補正処理部２３５６にて順次、出力される処理済み画像データを、ＵＳＢケーブル４を介してプロジェクタ３側に送信する（ステップＳ１０）。
また、ステップＳ９において、従前のステップＳ５において焼き付け領域判定部２３５５にて焼き付け領域が判定されてから補正期間が経過している場合には、焼き付け補正処理部２３５６は、最新画像データに対して焼き付け補正処理（ステップＳ７）を実施することなく、最新画像データを処理済み画像データとして、順次、出力し、ステップＳ１０において、該処理済み画像データがＵＳＢケーブル４を介してプロジェクタ３側に送信される。
【００７４】
ステップＳ１０の後、プロジェクタ３は、ＵＳＢケーブル４を介して順次、出力される処理済み画像データを受信する（ステップＳ１１：画像情報取得ステップ）。
ステップＳ１１の後、液晶パネル駆動制御部３２３１は、処理済み画像データに基づいて駆動信号を出力し、該処理済み画像データに含まれる色調データに基づく電圧を液晶ライトバルブ３１２に印加して、液晶ライトバルブ３１２に処理済み画像データに基づく光学像を順次形成させる（ステップＳ１２：画像表示ステップ）。
【００７５】
上述した第１実施形態においては、以下の効果がある。
図７ないし図９は、第１実施形態の効果を説明するための図である。具体的に、図７は、横軸が時間を示し、縦軸が液晶ライトバルブ３１２に印加する電圧値を示したグラフである。ここで、図７（Ａ）は本発明における焼き付け補正処理を実施していない場合を示し、図７（Ｂ）は本発明における焼き付け補正処理を実施した場合を示している。また、図８（Ａ）は本発明における焼き付け補正処理を実施していない場合での画面の変化を示し、図８（Ｂ）は本発明における焼き付け補正処理を実施した場合での画面の変化を示している。ここで、図８では、左側に焼き付けが発生した際に表示された画面を示し、右側に焼き付けが発生した後に表示された画面を示している。また、図８では、焼き付けが発生した後、黒表示の画面を表示させているものとする。また、図９（Ａ）は従来の未補正のアナログ信号を入力して画像を表示するプロジェクタにおける入力する色調と出力される色調に対応する電圧の関係を示すグラフであり、図９（Ｂ）は、本発明の補正済みのデジタル信号を入力して画像を表示するプロジェクタ３における入力する色調と出力される色調に対応する電圧の関係を示すグラフである。
【００７６】
本発明の焼き付け補正処理を実施しない場合には、液晶ライトバルブ３１２に焼き付けが発生した際に、以下に示すように、表示する画像の画質劣化が生じる。
すなわち、液晶ライトバルブ３１２に焼き付けが発生した場合には、図７（Ａ）に示すように、焼き付けが発生した時点Ｔ０より以降に、所定の電圧値Ｖ１を液晶ライトバルブ３１２に印加すると、液晶の内部電界による電圧値Ｖ２が加味された電圧値Ｖ０が液晶ライトバルブ３１２に印加されることとなる。このため、図８（Ａ）に示すように、黒表示の画面を表示させようとした場合であっても、以前に表示された画像Ｆ１が残像のように残ってしまう。
【００７７】
これに対して、本実施形態では、ＰＣ２側において非変化領域の判定、焼き付け領域の判定、および焼き付け補正処理を実施する。ここで、焼き付け補正処理では、最新画像データに含まれる色調データに対して、焼き付け領域に所定のオフセット値を減算することで焼き付け補正処理を実施する。このため、プロジェクタ３側では、液晶ライトバルブ３１２における焼き付け領域に対して、オフセット値が減算された色調データに基づく電圧を印加することとなる。すなわち、図７（Ａ）に示すように、色調データに対して所定のオフセット値を減算することで、液晶の内部電界による電圧値Ｖ２を相殺した電圧値Ｖ１が液晶ライトバルブ３１２に印加されることとなる。このため、図８（Ｂ）に示すように、黒表示の画面を表示させようとした場合であっても、以前に表示された画像Ｆ１が残像のように残ることなく、液晶ライトバルブ３１２に発生した焼き付けによる画質劣化を効果的に抑制できる。
【００７８】
また、従来の未補正のアナログ信号を入力して画像を表示するプロジェクタにおいては、図９（Ａ）に示すように、入力する色調と出力される色調に対応する電圧の関係は、比例関係にない。したがって、入力する色調に対応する電圧が極端に低い領域や極端に高い領域については分解能が低く用いることができない。
これに対して、本実施形態のプロジェクションシステム１では、プロジェクタ３は、ＵＳＢケーブル４を介してＰＣ２側にて補正処理した処理済み画像データ（デジタル信号）を取得するため、プロジェクタ３内で新たな補正を実施する必要がなく、入力された値（色調）をそのまま用いて構わない。また、以上のような構成により、入力する色調と出力される色調に対応する電圧の関係は、図９（Ｂ）に示すように、比例関係となる。
したがって、ＰＣ２側から処理済み画像データに含まれる色調データとして、極端に低い領域の電圧あるいは極端に高い領域の電圧に対応する色調を有するデータとした場合であっても、プロジェクタ３側において、液晶ライトバルブ３１２に前記各領域の電圧を強制的に印加することが可能となり、より広範囲の色調に亘って焼き付け補正処理を実施できる。
【００７９】
そして、ＰＣ２側において非変化領域の判定、焼き付け領域の判定、および焼き付け補正処理を実施し、プロジェクタ３側ではＰＣ２側にて処理された処理済み画像データを取得し該処理済み画像データに基づく画像を表示するだけであるので、従来のように液晶表示装置（プロジェクタ）のハードウェア構成に焼き付け抑制回路等を新たに設ける必要がなく、プロジェクタ３の構成の簡素化および製造コストの低減を図りつつ、液晶ライトバルブ３１２における画面の焼き付けによる画質劣化を効果的に抑制できる。また、ＰＣ２は元来からＧＰＵ等のグラフィック処理機能を有しているので、特別に画像処理機能を新たに設ける必要がなく、ＧＰＵ等のソフトウェア制御により非変化領域の判定、焼き付け領域の判定、および焼き付け補正処理を高速かつ高精度に実施できる。
【００８０】
ところで、非変化領域の判定方法としては、例えば、従前画像データおよび最新画像データにそれぞれ含まれる各色調データを対応する画素毎に比較して、各色調データに基づく各色調の変化量を算出し、該変化量が所定の閾値以下である画素位置で構成される領域を非変化領域として判定する構成も考えられる。しかしながら、このような構成では、各色調の変化量を算出し、該変化量を所定の閾値と比較する処理が必要となり、処理負荷が増大し迅速に非変化領域を判定することが難しい。
本実施形態では、ＰＣ２は、全ての色調を液晶ライトバルブ３１２に印加する電圧値のレベルに応じて区分けした複数のグループに関する焼付補正情報を記憶する焼付補正情報記憶部２３７を備える。そして、ＰＣ２の非変化領域判定部２３５４は、従前画像データおよび後続画像データの各色調データを対応する画素毎に比較して、各色調データに基づく各色調が焼付補正情報に基づく複数のグループのうち同一のグループに属している画素位置で構成される領域を非変化領域として判定する。このことにより、上述したような各色調の変化量を算出し該変化量を所定の閾値と比較することで非変化領域を判定する構成と比較して、処理負荷を軽減させ迅速に非変化領域を判定できる。
【００８１】
ところで、液晶ライトバルブ３１２における画面の焼き付けは、液晶ライトバルブ３１２に印加する電圧値が高い程、発生しやすい。
本実施形態では、焼付補正情報は、全ての色調は、液晶ライトバルブ３１２に印加する電圧値が高くなるにしたがって、グループに属する色調の数が多くなるように区分けされた情報とされている。このことにより、非変化領域判定部２３５４は、高レベル（印加する電圧値の高いレベル）のグループに属する色調では多少の変動があったとしても同一のグループとして判断し、非変化領域を的確に判定できる。一方、非変化領域判定部２３５４は、低レベル（印加する電圧値の低いレベル）のグループに属する色調では僅かな変化でも別のグループとして判断するため、不要に非変化領域を判定することを回避できる。したがって、焼き付け領域判定部２３５５および焼き付け補正処理部２３５６において、非変化領域判定部２３５４にて的確に判定された非変化領域に基づいて、適切に焼き付け補正処理を実施できる。
【００８２】
また、ＰＣ２は、形状変換処理部２３５２および色調補正処理部２３５３と、これら形状変換処理部２３５２および色調補正処理部２３５３にて画像補正処理が施された画像データを順次、記憶する画像情報記憶部２３８とを備える。そして、非変化領域判定部２３５４は、画像情報記憶部２３８に記憶された従前画像データ、および前記画像補正処理が施された最新画像データに基づいて非変化領域を判定する。このことにより、非変化領域判定部２３５４は、画像データに対して前記画像補正処理が施された後に、非変化領域を判定するので、例えば前記画像補正処理が施される前に非変化領域を判定する構成と比較して、より的確に非変化領域を判定できる。したがって、焼き付け領域判定部２３５５および焼き付け補正処理部２３５６において、非変化領域判定部２３５４にて的確に判定された非変化領域に基づいて、より適切に焼き付け補正処理を実施できる。
【００８３】
[第２実施形態]
次に、本発明の第２実施形態を図面に基づいて説明する。
なお、以下の説明では、既に説明した部分と同一の部分については、同一符号を付してその説明を省略する。
前記第１実施形態では、プロジェクションシステム１において、ＰＣ２は、色調補正処理部２３５３から出力される最新画像データと、画像情報記憶部２３８に記憶された従前画像データとを比較することで、非変化領域（焼き付け領域）を判定している。
これに対して第２実施形態では、プロジェクションシステム１は、スクリーンＳｃ上の投影画像を撮像する撮像装置５を備える。そして、ＰＣ２は、撮像装置５にて撮像された従前の従前画像データと、従前画像データの１つ後の後続画像データとを比較することで、非変化領域（焼き付け領域）を判定する。本実施形態は、前記第１実施形態に対して、撮像装置５を備える点、および非変化領域の判定方法が主に異なるのみである。
【００８４】
具体的に、図１０は、第２実施形態におけるプロジェクタ３Ａの概略構成を示すブロック図である。
液晶表示装置としてのプロジェクタ３Ａは、図１０に示すように、前記第１実施形態で説明した画像投射部３１および制御装置３２の他、撮像装置５を備える。
撮像装置５は、制御装置３２による制御の下、スクリーンＳｃに拡大投射された投影画像を撮像する。この撮像装置５は、例えば、ＣＣＤ(Charge Coupled Device)を撮像素子としたエリアセンサを備えたＣＣＤカメラで構成され、投影画像を撮像して該投影画像に応じた電気信号を制御装置３２に出力する。
そして、制御装置３２の制御部本体３２３は、撮像装置５から出力される電気信号を入力し、撮像装置５にて撮像された投影画像に応じた画像データを、ＵＳＢケーブル４を介してＰＣ２側に順次、送信する。
【００８５】
本実施形態では、ＰＣ２を構成する画像情報記憶部２３８は、撮像装置５にて投影画像が撮像されプロジェクタ３Ａ側からＵＳＢケーブル４を介して送信された画像データを順次、記憶する。
そして、非変化領域判定部２３５４は、画像情報記憶部２３８に記憶された画像データのうち、従前の従前画像データ、および前記従前画像データの１つ後の後続画像データを対応する画素毎に全ての画素に亘って比較して、前記第１実施形態と同様に非変化領域を判定する。また、焼き付け領域判定部２３５５による焼き付け領域の判定方法は、前記第１実施形態と同様である。さらに、焼き付け補正処理部２３５６は、前記第１実施形態と同様に、色調補正処理部２３５３から順次、出力される最新画像データに含まれる色調データに対して、焼き付け領域判定部２３５５にて判定された焼き付け領域に焼き付け補正処理を実施する。
【００８６】
なお、本実施形態におけるプロジェクションシステム１の動作については、上述したように前記第１実施形態に対して撮像装置５が設けられ、ＰＣ２側において非変化領域の判定を撮像装置５にて撮像された画像データに基づいて実施する点が異なるのみであり、すなわち、前記第１実施形態で説明した動作と略同様である。
【００８７】
上述した第２実施形態においては、前記第１実施形態と略同様の効果の他、以下の効果がある。
本実施形態では、プロジェクションシステム１は、撮像装置５を備える。また、ＰＣ２の画像情報記憶部２３８は、撮像装置５にて投影画像が撮像されプロジェクタ３側からＵＳＢケーブル４を介して送信された画像データを順次、記憶する。そして、非変化領域判定部２３５４は、画像情報記憶部２３８に記憶された従前画像データおよび後続画像データに基づいて非変化領域を判定する。このことにより、例えば、プロジェクタ３Ａにおいて、処理済み画像データに対して所定の画像補正処理（ＰＣ２側で実施される画像補正処理（形状変換処理および色調補正処理）以外の画像補正処理）が施された場合であっても、該画像補正処理が施された画像を撮像装置５にて撮像し、撮像装置５にて撮像された従前画像データおよび後続画像データに基づいて非変化領域判定部２３５４が非変化領域を判定するので、より的確に非変化領域を判定できる。したがって、焼き付け領域判定部２３５５および焼き付け補正処理部２３５６において、非変化領域判定部２３５４にて的確に判定された非変化領域に基づいて、適切に焼き付け補正処理を実施できる。
【００８８】
[第３実施形態]
次に、本発明の第３実施形態を図面に基づいて説明する。
なお、以下の説明では、既に説明した部分と同一の部分については、同一符号を付してその説明を省略する。
図１１は、第３実施形態におけるＰＣ２Ｂの概略構成を示すブロック図である。
図１２は、第３実施形態におけるプロジェクタ３Ｂの概略構成を示すブロック図である。
前記第２実施形態では、プロジェクションシステム１において、ＰＣ２側にて略全ての処理（形状変換処理、色調補正処理、非変化領域の判定、焼き付け領域の判定、および焼き付け補正処理）を実施する。そして、プロジェクタ３側では、ＰＣ２側から送信された処理済み画像データに基づく画像を表示する。
これに対して第３実施形態では、前記第２実施形態で説明したＰＣ２側にて実施する処理の一部を省略し、該省略した処理の一部をプロジェクタ３Ｂが実施する構成としている。その他の構成は、前記第２実施形態と同様のものである。
【００８９】
具体的に、情報処理装置としてのＰＣ２Ｂは、図１１に示すように、前記第２実施形態で説明したＰＣ２の構成（図２）に対して、画像補正パラメータ記憶部２３４、形状変換処理部２３５２、色調補正処理部２３５３、および焼き付け補正処理部２３５６が省略された構成である。
そして、ＰＣ２Ｂは、ＵＳＢケーブル４を介して補助メモリ２３３の映像ソースに応じた画像データをプロジェクタ３Ｂ側に送信するとともに、焼き付け領域判定部２３５５が前記第２実施形態と同様に焼き付け領域を判定した後、ＵＳＢケーブル４を介して焼き付け領域に関する焼き付け領域情報をプロジェクタ３Ｂ側に送信する。
【００９０】
また、液晶表示装置としてのプロジェクタ３Ｂは、図１２に示すように、前記第２実施形態で説明したプロジェクタ３Ａの構成（図１０）に対して、制御装置３２に、ＧＰＵ等を含んで構成される画像処理部３２４Ｂが設けられている。
画像処理部３２４Ｂは、図１２に示すように、前記第２実施形態で説明した形状変換処理部２３５２、色調補正処理部２３５３、および焼き付け補正処理部２３５６と略同様の機能を有する、形状変換処理部３２４１、色調補正処理部３２４２、および焼き付け補正処理部３２４３を備える。なお、形状変換処理部３２４１および色調補正処理部３２４２が本発明に係る画像補正処理部に相当する。
形状変換処理部３２４１および色調補正処理部３２４２は、ＰＣ２側から送信された画像データを取得し、該画像データに対して、画像補正パラメータ記憶部３２２に記憶された補正パラメータを用いて、前記第２実施形態で説明した形状変換処理および色調補正処理を実施する。そして、画像処理（形状変換処理および色調補正処理）が施された画像データ（最新画像データ）が順次、焼き付け補正処理部３２４３に出力される。
【００９１】
焼き付け補正処理部３２４３は、ＰＣ２側から送信された焼き付け領域情報を取得し（焼き付け領域情報取得ステップ）、該焼き付け領域情報に基づいて、焼き付け領域を認識する。そして、焼き付け補正処理部３２４３は、色調補正処理部３２４２から順次、出力される最新画像データに含まれる色調データに対して、認識した焼き付け領域に前記第２実施形態と同様に焼き付け補正処理を実施する（焼き付け補正処理ステップ）。また、焼き付け補正処理部３２４３は、最新画像データに対して焼き付け補正処理を施した処理済み画像データを、液晶パネル駆動制御部３２３１に順次、出力する。そして、液晶パネル駆動制御部３２３１は、処理済み画像データに基づいて駆動信号を出力し、該処理済み画像データに含まれる色調データに基づく電圧を液晶ライトバルブ３１２に印加して、液晶ライトバルブ３１２に処理済み画像データに基づく光学像を順次形成させる（画像表示ステップ）。
【００９２】
なお、本実施形態におけるプロジェクションシステム１の動作については、上述したように前記第２実施形態で説明したＰＣ２側にて実施する処理の一部を省略し、該省略した処理の一部をプロジェクタ３Ｂが実施する構成としているため、前記第２実施形態で説明した動作と略同様である。
【００９３】
上述した第３実施形態においては、前記第２実施形態と略同様の効果の他、以下の効果がある。
本実施形態では、プロジェクタ３Ｂは、ＧＰＵ等を含んで構成される画像処理部３２４Ｂを備えているので、前記第２実施形態で説明したＰＣ２側にて実施する処理の一部（形状変換処理および色調補正処理）を画像処理部３２４Ｂにて実施でき、ＰＣ２側の処理負荷を軽減できる。
また、画像処理部３２４Ｂに、焼き付け補正処理を実施する焼き付け補正処理部３２４３の機能を付加することで、従来のように液晶表示装置（プロジェクタ）のハードウェア構成に焼き付け抑制回路等を新たに設ける必要がなく、プロジェクタ３Ｂの構成の簡素化および製造コストの低減を図りつつ、液晶ライトバルブ３１２における画面の焼き付けによる画質劣化を効果的に抑制できる。また、ＧＰＵ等のソフトウェア制御により焼き付け補正処理を高速かつ高精度に実施できる。
【００９４】
[第４実施形態]
次に、本発明の第４実施形態を図面に基づいて説明する。
なお、以下の説明では、既に説明した部分と同一の部分については、同一符号を付してその説明を省略する。
前記第１実施形態では、焼き付け領域を判定する際に、非変化領域の継続期間と比較する許容期間は、単一の値で設定されている。
これに対して第４実施形態では、焼付補正情報は、前記第１実施形態で説明した各グループに対して各許容期間がそれぞれ個別に関連付けられた情報としている。そして、焼き付け領域判定部２３５５は、上述した焼付補正情報に基づく許容期間を認識し、該許容期間を用いて、焼き付け領域を判定する。すなわち、本実施形態は、前記第１実施形態に対して、焼付補正情報、および焼き付け領域判定部２３５５の機能（焼き付け領域の判定方法）が主に異なるのみである。
【００９５】
図１３は、第４実施形態における焼付補正情報の一例を示す図である。
本実施形態では、焼付補正情報記憶部２３７は、図１３の例に示すように、各グループに対して各許容期間（例えば、フレーム数）がそれぞれ個別に関連付けられた焼付補正情報を記憶する。
より具体的に、本実施形態における焼付補正情報は、図１３の例に示すように、液晶ライトバルブ３１２に印加する電圧値の低い階調が属するグループに長い期間の許容期間が関連付けられ、液晶ライトバルブ３１２に印加する電圧値の高い階調が属するグループにより短い期間の許容期間が関連付けられた情報である。すなわち、図１３の例に示すように、液晶ライトバルブ３１２に印加する電圧値の低い階調が属するグループであるグループ名「０」には許容期間「１００」が関連付けられ、グループ名「１」には許容期間「８１」が関連付けられ、順次、高い階調が属するグループに向うにしたがって、関連付けられる許容期間が短くなっている。
【００９６】
焼き付け領域判定部２３５５は、上述した焼付補正情報に基づいて、非変化領域判定部２３５４にて非変化領域が判定された際に、非変化領域判定部２３５４にて比較したいずれかの画像データにおける非変化領域の色調データに基づく色調（例えば、階調値）が属するグループに関連付けられた許容期間を認識する。また、焼き付け領域判定部２３５５は、前記判定された非変化領域の継続期間と前記認識した許容期間とを比較する。そして、焼き付け領域判定部２３５５は、前記継続期間が前記許容期間以上となる領域を焼き付け領域として判定する。
【００９７】
なお、本実施形態におけるプロジェクションシステム１の動作については、上述したように前記第１実施形態に対して、焼き付け領域判定部２３５５による焼き付け領域の判定方法が主に異なるのみであり、前記第１実施形態で説明した動作と略同様である。
【００９８】
上述した第４実施形態においては、前記第１実施形態と同様の効果の他、以下の効果がある。
ところで、液晶ライトバルブ３１２における画面の焼き付けは、以下に示す発生傾向がある。
すなわち、液晶ライトバルブ３１２に印加する電圧値が高い場合には、焼き付けが比較的短期間で発生する。一方、液晶ライトバルブ３１２に印加する電圧値が低い場合には、液晶ライトバルブ３１２に印加する電圧値が高い場合に比較して、長期間、液晶ライトバルブ３１２に電圧を印加しても焼き付けが発生しにくい。
本実施形態では、焼付補正情報は、複数のグループに対して各許容期間が個別に関連付けられた情報であり、液晶ライトバルブ３１２に印加する電圧値が高いレベルのグループに向うにしたがって期間が短くなるように各許容期間が各グループに対して個別に関連付けられた情報である。そして、焼き付け領域判定部２３５５は、継続期間と、従前画像データおよび最新画像データにそれぞれ含まれる各色調データにおいて、非変化領域に対応する各色調データに基づく各色調が属しているグループに関連付けられた許容期間を比較して、焼き付け領域を判定する。このことにより、焼き付け領域判定部２３５５にて、液晶ライトバルブ３１２における画面の焼き付けの発生傾向に合わせて、焼き付け領域を的確に判定できる。したがって、焼き付け補正処理部２３５６において、焼き付け領域判定部２３５５にて的確に判定された焼き付け領域に基づいて、適切に焼き付け補正処理を実施できる。
【００９９】
[第５実施形態]
次に、本発明の第５実施形態を図面に基づいて説明する。
なお、以下の説明では、既に説明した部分と同一の部分については、同一符号を付してその説明を省略する。
前記第１実施形態では、非変化領域を判定する際に、全ての画素位置に対して同一の焼付補正情報を用いている。
これに対して第５実施形態では、非変化領域を判定する際に、画素位置毎にそれぞれ個別に設けられた焼付補正情報を用いる。すなわち、本実施形態は、前記第１実施形態に対して、画素位置毎に焼付補正情報を設ける点、および非変化領域判定部２３５４の機能（非変化領域の判定方法）が主に異なるのみである。
【０１００】
図１４および図１５は、第５実施形態における非変化領域判定部２３５４による非変化領域の判定方法の一例を示す図である。具体的に、図１４は、液晶ライトバルブ３１２における画面を示している。図１５は、図１４における各位置に対応した焼付補正情報を示している。
焼付補正情報は、液晶ライトバルブ３１２の画素位置毎に複数設けられている。そして、複数の焼付補正情報は、液晶ライトバルブ３１２における焼き付けの発生傾向に応じてそれぞれ設定されている。
例えば、液晶ライトバルブ３１２における略中央部分の画素位置ＯＰ（図１４）にて焼き付けの発生頻度が高く、周縁部分の画素位置ＦＰ（図１４）にて焼き付けの発生頻度が低い場合には、図１５の例に示すように、各焼付補正情報を設定する。
すなわち、画素位置ＯＰに対応した焼付補正情報（図１５（Ａ））としては、画素位置ＦＰに対応した焼付補正情報（図１５（Ｂ））に対して、全ての色調（図１５では、２５６階調）を区分けしたグループの数を少なくする。具体的に、図１５の例に示すように、画素位置ＯＰに対応した焼付補正情報に基づくグループ数を１０とするのに対して、画素位置ＦＰに対応した焼付補正情報に基づくグループ数を１５とする。
なお、各焼付補正情報において、全ての色調は、前記第１実施形態と同様に、液晶ライトバルブ３１２に印加する電圧値が高くなるにしたがって（図１５の例では、高階調に向うにしたがって）、グループに属する階調の数が多くなるように区分けされている。
【０１０１】
そして、非変化領域判定部２３５４は、最新画像データおよび従前画像データにそれぞれ含まれる各色調データを対応する画素毎に比較する際に、画素位置に応じた焼付補正情報を用い、各色調データに基づく各色調（図１５の例では、階調値）が前記焼付補正情報に基づく複数のグループのうち同一のグループに属している画素位置で構成される領域を非変化領域として判定する。
【０１０２】
なお、本実施形態におけるプロジェクションシステム１の動作については、上述したように前記第１実施形態に対して、非変化領域判定部２３５４による非変化領域の判定方法が主に異なるのみであり、前記第１実施形態で説明した動作と略同様である。
【０１０３】
上述した第５実施形態においては、前記第１実施形態と同様の効果の他、以下の効果がある。
ところで、液晶ライトバルブ３１２における画面の焼き付けは、画面内の位置（画素位置）によって発生傾向が異なる。
本実施形態では、焼付補正情報記憶部２３７は、画素位置毎にそれぞれ焼付補正情報を記憶している。このことにより、非変化領域判定部２３５４は、画素位置に応じた焼付補正情報を用いることで、より的確に非変化領域の判定を実施できる。例えば、図１７に示す例では、画素位置ＯＰに対応した焼付補正情報が画素位置ＦＰに対応した焼付補正情報に対してグループの数が少なく設定されているので、非変化領域判定部２３５４は、画素位置ＯＰにおいては色調に多少の変動があったとしても同一のグループとして判断し、非変化領域を的確に判定できる。一方、非変化領域判定部２３５４は、画素位置ＦＰにおいては色調の僅かな変化でも別のグループとして判断するため、不要に非変化領域を判定することを回避できる。したがって、焼き付け領域判定部２３５５および焼き付け補正処理部２３５６において、より的確に判定された非変化領域に基づいて、適切に焼き付け補正処理を実施できる。
【０１０４】
[第６実施形態]
次に、本発明の第６実施形態を図面に基づいて説明する。
なお、以下の説明では、既に説明した部分と同一の部分については、同一符号を付してその説明を省略する。
前記第１実施形態では、焼き付け補正処理を実施する際に用いるオフセット値は、単一の値で設定されている。
これに対して第６実施形態では、焼付補正情報は、前記第１実施形態で説明した各グループに対して各オフセット値がそれぞれ個別に関連付けられた情報としている。そして、焼き付け補正処理部２３５６は、上述した焼付補正情報に基づくオフセット値を認識し、該オフセット値を用いて、焼き付け補正処理を実施する。すなわち、本実施形態では、前記第１実施形態に対して、焼付補正情報、および焼き付け補正処理部２３５６の機能（焼き付け補正処理方法）が主に異なるのみである。
【０１０５】
図１６は、第６実施形態における焼付補正情報の一例を示す図である。
本実施形態では、焼付補正情報記憶部２３７は、図１６の例に示すように、各グループに対して各オフセット値がそれぞれ個別に関連付けられた焼付補正情報を記憶する。
より具体的に、本実施形態における焼付補正情報は、図１６の例に示すように、液晶ライトバルブ３１２に印加する電圧値の低い階調が属するグループに小さい値のオフセット値が関連付けられ、液晶ライトバルブ３１２に印加する電圧値の高い階調が属するグループに大きい値のオフセット値が関連付けられた情報である。すなわち、図１６の例に示すように、液晶ライトバルブ３１２に印加する電圧値の低い階調が属するグループであるグループ名「０」、「１」にはオフセット値「１」が関連付けられ、グループ名「２」にはオフセット値「２」が関連付けられ、順次、高い階調が属するグループに向うにしたがって、関連付けられるオフセット値が大きくなっている。
【０１０６】
焼き付け補正処理部２３５６は、焼き付け補正処理を実施する際、上述した焼付補正情報に基づいて、非変化領域判定部２３５４にて非変化領域が判定された際に非変化領域判定部２３５４にて比較したいずれかの画像データにおける焼き付け領域の色調データに基づく色調（例えば、階調値）が属するグループに関連付けられたオフセット値を認識する。また、焼き付け補正処理部２３５６は、色調補正処理部２３５３から順次、出力される最新画像データに含まれる色調データに対して、焼き付け領域判定部２３５５にて判定された焼き付け領域に、前記認識したオフセット値を減算することで焼き付け補正処理を実施する。
【０１０７】
なお、本実施形態におけるプロジェクションシステム１の動作については、上述したように前記第１実施形態に対して、焼き付け補正処理部２３５６による焼き付け補正処理方法が主に異なるのみであり、前記第１実施形態で説明した動作と略同様である。
【０１０８】
上述した第６実施形態においては、前記第１実施形態と同様の効果の他、以下の効果がある。
ところで、液晶ライトバルブ３１２における画面の焼き付けは、以下に示す発生傾向がある。
すなわち、液晶ライトバルブ３１２に印加する電圧値が高い場合には、液晶により強い内部電界が発生する。一方、液晶ライトバルブ３１２に印加する電圧値が低い場合には、液晶ライトバルブ３１２に印加する電圧値が高い場合に比較して、発生する内部電界が小さい。
本実施形態では、焼付補正情報は、複数のグループに対して各オフセット値が個別に関連付けられた情報であり、液晶ライトバルブ３１２に印加する電圧値が高いレベルのグループに向うにしたがって値が大きくなる各オフセット値が各グループに対して個別に関連付けられた情報である。そして、焼き付け補正処理部２３５６は、最新画像データに含まれる色調データに対して、焼き付け領域に、非変化領域判定部２３５４にて非変化領域が判定された際に非変化領域判定部２３５４にて比較したいずれかの画像データにおける焼き付け領域の色調データに基づく色調（例えば、階調値）が属するグループに関連付けられたオフセット値を減算することで焼き付け補正処理を実施する。このことにより、焼き付け補正処理部２３５６にて、液晶に比較的強い内部電界が発生している場合には比較的大きいオフセット値を用い、液晶に比較的弱い内部電界が発生している場合には比較的小さいオフセット値を用いて焼き付け補正処理を実施でき、液晶ライトバルブ３１２における画面の焼き付けの発生傾向に合わせて適切に焼き付け補正処理を実施できる。
【０１０９】
[第７実施形態]
次に、本発明の第７実施形態を図面に基づいて説明する。
なお、以下の説明では、既に説明した部分と同一の部分については、同一符号を付してその説明を省略する。
前記第６実施形態では、焼付補正情報は、各グループに対してそれぞれ一律のオフセット値が関連付けられた情報としている。すなわち、焼き付け領域判定部２３５５にて焼き付け領域が判定された後に、最新画像データに焼き付け補正処理を施す際、最新画像データにおける焼き付け領域の色調がいずれの色調であっても、該色調から一律のオフセット値を減算して焼き付け補正処理を実施している。
これに対して第７実施形態では、焼付補正情報記憶部２３７は、前記第１実施形態で説明した焼付補正情報（例えば、図３）と、該焼付補正情報に基づくグループ間に関するグループ間情報に対して異なるオフセット値が関連付けられたオフセット値情報とを記憶する。そして、焼き付け補正処理部２３５６は、上述した焼付補正情報およびオフセット値情報に基づいて、オフセット値を認識し、該オフセット値を用いて最新画像データに対して焼き付け補正処理を実施する。すなわち、本実施形態は、前記第６実施形態に対して、オフセット値情報を設ける点、および焼き付け補正処理部２３５６の機能（焼き付け補正処理方法）が主に異なるのみである。
【０１１０】
図１７は、第７実施形態におけるオフセット値情報の一例を示す図である。
オフセット値情報は、図１７の例に示すように、焼付補正情報に基づくグループ間、すなわち、所定の遷移前グループおよび遷移先グループ（前記所定のグループに対して下位のグループ）のグループ間に関する各グループ間情報に対して各オフセット値がそれぞれ個別に関連付けられた情報である。なお、図１７では、図示を省略したが、オフセット値情報は、焼付補正情報に基づく各グループの数に応じて複数設定されている。すなわち、図１７に示す例では、所定の遷移前グループであるグループ名「９」と遷移先グループであるグループ名「０」〜「８」とのグループ間に関する各グループ間情報に対して各オフセット値がそれぞれ個別に関連付けられた一つのオフセット値情報のみを図示しているが、その他、所定の遷移前グループが各グループ名「０」〜「８」である場合も前記所定の遷移前グループがグループ名「９」である場合と略同様のオフセット値情報が設定されている。
【０１１１】
より具体的に、オフセット値情報は、図１７の例に示すように、所定の遷移前グループと遷移先グループとの較差（グループ間の幅）が大きいグループ間情報に大きい値のオフセット値が関連付けられ、較差が小さいグループ間情報に小さい値のオフセット値が関連付けられた情報である。すなわち、図１７の例に示すように、所定の遷移前グループであるグループ名「９」と遷移先グループであるグループ名「０」とのグループ間情報にはオフセット値「３５」が関連付けられ、所定の遷移前グループであるグループ名「９」と遷移先グループであるグループ名「１」とのグループ間情報にはオフセット値「３４」が関連付けられ、順次、高い階調が属する遷移先グループに向うにしたがって、関連付けられるオフセット値が小さくなっている。
【０１１２】
焼き付け補正処理部２３５６は、焼き付け補正処理を実施する際、上述した焼付補正情報に基づいて、非変化領域判定部２３５４にて比較したいずれかの画像データにおける焼き付け領域の色調データに基づく色調（例えば、階調値）が属する遷移前グループを認識する。また、焼き付け補正処理部２３５６は、同様に、上述した焼付補正情報に基づいて、色調補正処理部２３５３から出力される最新画像データにおける焼き付け領域の色調データに基づく色調（例えば、階調値）が属する遷移先グループを認識する。さらに、焼き付け補正処理部２３５６は、上述したオフセット値情報に基づいて、認識した遷移前グループおよび遷移先グループのグループ間情報に関連付けられたオフセット値を認識する。そして、焼き付け補正処理部２３５６は、色調補正処理部２３５３から順次、出力される最新画像データに含まれる色調データに対して、焼き付け領域判定部２３５５にて判定された焼き付け領域に、前記認識したオフセット値を減算することで焼き付け補正処理を実施する。
【０１１３】
なお、本実施形態におけるプロジェクションシステム１の動作については、上述したように前記第１実施形態に対して、焼き付け補正処理部２３５６による焼き付け補正処理方法が主に異なるのみである。
【０１１４】
上述した第７実施形態においては、前記第１実施形態と同様の効果の他、以下の効果がある。
ところで、液晶ライトバルブ３１２における画面に焼き付けが発生した場合には、該発生時に液晶ライトバルブ３１２に印加していた電圧値（色調に対応）と、発生後に液晶ライトバルブ３１２に印加する電圧値（色調に対応）との変化幅によって、液晶に発生した内部電界が同一であっても利用者が認識する焼き付けの効果は異なるものである。
本実施形態では、焼付補正情報記憶部２３７は、焼付補正情報の他、異なるグループ間に関するグループ間情報に対してそれぞれ個別に各オフセット値が関連付けられたオフセット値情報を記憶する。ここで、オフセット値情報は、液晶ライトバルブ３１２に印加する電圧値が高いレベルのグループと液晶ライトバルブ３１２に印加する電圧値が低いレベルのグループとの較差（レベル間の差）が大きいグループ間情報に、より大きいオフセット値が関連付けられた情報である。そして、焼き付け補正処理部２３５６は、焼き付けの発生時に液晶ライトバルブ３１２に印加していた電圧値に相当する、非変化領域判定部２３５４にて比較したいずれかの画像データにおける焼き付け領域の色調データに基づく色調が属する遷移前グループを認識する。また、焼き付け補正処理部２３５６は、焼き付けの発生後に液晶ライトバルブ３１２に印加する電圧値に相当する、最新画像データに含まれ焼き付け領域に対応する色調データに基づく色調が属する遷移先グループを認識する。そして、焼き付け補正処理部２３５６は、最新画像データに含まれる色調データに対して、焼き付け領域に、認識した遷移前グループおよび遷移先グループのグループ間情報に関連付けられたオフセット値を減算することで焼き付け補正処理を実施する。このことにより、焼き付け補正処理部２３５６にて、焼き付けの発生時に液晶ライトバルブ３１２に印加していた電圧値と、発生後に液晶ライトバルブ３１２に印加する電圧値との変化幅が比較的大きい場合には比較的大きいオフセット値を用い、前記変化幅が比較的小さい場合には比較的小さいオフセット値を用いて焼き付け補正処理を実施でき、焼き付けの効果が利用者に認識されないように適切に焼き付け補正処理を実施できる。
【０１１５】
[第８実施形態]
次に、本発明の第８実施形態を図面に基づいて説明する。
なお、以下の説明では、既に説明した部分と同一の部分については、同一符号を付してその説明を省略する。
前記第１実施形態では、焼き付け補正処理部２３５６は、焼き付け領域判定部２３５５にて焼き付け領域が判定された後、所定の補正期間（例えば、所定のフレーム数）、継続して、色調補正処理部２３５３から順次、出力される最新画像データに対して同一の焼き付け補正処理を実施している。
これに対して第８実施形態では、焼き付け補正処理部２３５６は、焼き付け領域判定部２３５５にて焼き付け領域が判定された後、時間に応じてオフセット値を変更し、色調補正処理部２３５３から順次、出力される最新画像データに対して異なるオフセット値を用いて焼付け補正処理を実施する。すなわち、本実施形態は、前記第１実施形態に対して、焼き付け補正処理部２３５６の機能（焼き付け補正処理方法）が主に異なるのみである。
【０１１６】
図１８は、第８実施形態における焼き付け補正処理部２３５６による焼き付け補正処理の一例を示す図である。具体的に、図１８は、横軸が時間を示し、縦軸がオフセット値を示すグラフである。なお、図１８では、時間が０の時に、焼き付け領域判定部２３５５にて焼き付け領域が判定されたものとしている。
すなわち、焼き付け補正処理部２３５６は、図１８の例に示すように、焼き付け領域判定部２３５５にて焼き付け領域が判定された後、最新画像データに対して焼き付け補正処理を施す際に用いるオフセット値を時間に応じて減少させる。すなわち、焼き付け補正処理部２３５６は、図１８の例に示すように、焼き付け領域判定部２３５５にて焼き付け領域が判定された直後、比較的に大きいオフセット値を用い、焼き付け領域判定部２３５５にて焼き付け領域が判定されてから時間が経過するにしたがって、低いオフセット値を用いる。
【０１１７】
なお、本実施形態におけるプロジェクションシステム１の動作については、上述したように前記第１実施形態に対して、焼き付け補正処理部２３５６による焼き付け補正処理方法が主に異なるのみであり、前記第１実施形態で説明した動作と略同様である。
【０１１８】
上述した第８実施形態においては、前記第１実施形態と同様の効果の他、以下の効果がある。
ところで、液晶ライトバルブ３１２における画面に焼き付けが発生した際に液晶に発生する内部電界は、時間に応じてその強さが減少する。
本実施形態では、焼き付け補正処理部２３５６は、焼き付け領域判定部２３５５にて焼き付け領域が判定された後、用いるオフセット値を時間的に次第に小さくしながら焼き付け補正処理を実施する。このことにより、液晶に発生する内部電界の時間変化に対応した焼き付け補正処理を実施でき、より適切に焼き付け補正処理を実施できる。
【０１１９】
[第９実施形態]
次に、本発明の第９実施形態を図面に基づいて説明する。
なお、以下の説明では、既に説明した部分と同一の部分については、同一符号を付してその説明を省略する。
前記第１実施形態では、焼き付け補正処理部２３５６は、最新画像データに含まれる色調データに対して、焼き付け領域に所定のオフセット値を減算することで焼き付け補正処理を実施している。
これに対して第９実施形態では、焼き付け補正処理部２３５６は、最新画像データに含まれる色調データに対して、焼き付け領域に所定の範囲内で前記色調データに基づく色調を変化させることで焼き付け補正処理を実施し、前記所定の範囲内で前記色調が変動する処理済み画像データを順次、出力する。すなわち、本実施形態は、前記第１実施形態に対して、焼き付け補正処理部２３５６の機能（焼き付け補正処理方法）が主に異なるのみである。
【０１２０】
例えば、本実施形態における焼き付け補正処理方法としては、以下の方法を採用できる。
図１９は、第９実施形態における焼き付け補正処理部２３５６による焼き付け補正処理方法の一例を示す図である。
本実施形態では、焼き付け領域を判定する際に非変化領域の継続期間と比較する許容期間は、前記第１実施形態で説明した許容期間よりも短く設定されている。すなわち、前記第１実施形態では、焼き付け領域判定部２３５５は、継続期間と許容期間とを比較することで、液晶ライトバルブ３１２における画面に焼き付けが発生している焼き付け領域を判定している。これに対して、本実施形態では、焼き付け領域判定部２３５５は、継続期間と許容期間とを比較することで、液晶ライトバルブ３１２における画面に焼き付けが発生し得る焼き付け領域を判定している。
【０１２１】
そして、焼き付け補正処理部２３５６は、色調補正処理部２３５３から順次、出力される最新画像データにおける焼き付け領域の色調データに基づく色調のうち、図１９に示すように、色表現に対する分解能が低い領域Ｒ０の色調を所定の範囲内で変化させることで焼き付け補正処理を実施し、前記所定の範囲内で前記色調が変動する処理済み画像データを順次、出力する。
また、焼き付け補正処理部２３５６は、色調補正処理部２３５３から順次、出力される最新画像データにおける焼き付け領域の色調データに基づく色調のうち、図１９に示すように、色表現に対する分解能が高い中間調領域Ｒ１に対しては、ＹＣｂＣｒ色空間におけるＣｂ値およびＣｒ値を所定の範囲内で変化させＹ値を一定に保つような色調データ（ＲＧＢ値）に変換する焼き付け補正処理を実施し、Ｙ値が一定でかつ前記所定の範囲内でＣｂ値およびＣｒ値が変動する処理済み画像データを順次、出力する。
そして、プロジェクタ３側では、液晶パネル駆動制御部３２３１は、処理済み画像データに基づいて駆動信号を出力し、液晶ライトバルブ３１２における画面に焼き付けが発生し得る焼き付け領域に印加する電圧値を変動させて、処理済み画像データに基づく光学像を順次形成させる。
【０１２２】
なお、本実施形態におけるプロジェクションシステム１の動作については、上述したように前記第１実施形態に対して、焼き付け補正処理部２３５６による焼き付け補正処理方法が主に異なるのみである。
【０１２３】
上述した第９実施形態においては、前記第１実施形態と同様の効果の他、以下の効果がある。
本実施形態では、焼き付け補正処理部２３５６は、色調補正処理部２３５３から順次、出力される最新画像データに含まれる色調データに対して、液晶ライトバルブ３１２に焼き付けが発生し得る焼き付け領域に、色表現に対する分解能が低い領域Ｒ０の色調を所定の範囲内で変化させることで焼き付け補正処理を実施し、前記所定の範囲内で前記色調が変動する処理済み画像データを順次、出力する。このため、プロジェクタ３側では、液晶ライトバルブ３１２における焼き付けが発生し得る焼き付け領域に対して、電圧値を所定の範囲内で変動させながら印加することとなる。したがって、液晶ライトバルブ３１２における焼き付けが発生し得る焼き付け領域に対して、一定の電圧を印加することを回避でき、すなわち、液晶ライトバルブ３１２における画面に焼き付けが発生することを効率的に抑制できる。
【０１２４】
また、焼き付け補正処理部２３５６は、色調補正処理部２３５３から順次、出力される最新画像データに含まれる色調データに対して、液晶ライトバルブ３１２に焼き付けが発生し得る焼き付け領域に、色表現に対する分解能が高い中間調領域Ｒ１の色調をＹＣｂＣｒ色空間におけるＣｂ値およびＣｒ値を所定の範囲内で変化させＹ値を一定に保つような色調データ（ＲＧＢ値）に変換する焼き付け補正処理を実施し、Ｙ値が一定でかつ前記所定の範囲内でＣｂ値およびＣｒ値が変動する処理済み画像データを順次、出力する。このため、プロジェクタ３に表示される画像は、ＹＣｂＣｒ色空間における、人間の認識率が高いＹ値が一定で、人間の認識率が低いＣｂ、Ｃｒ値が変動するため、利用者に認識されにくい状態で焼き付け補正処理部２３５６にて焼き付け補正処理を実施できる。
【０１２５】
なお、本発明は前述の実施形態に限定されるものではなく、本発明の目的を達成できる範囲での変形、改良等は本発明に含まれるものである。
前記各実施形態では、非変化領域判定部２３５４における非変化領域の判定では、各画像データに含まれる各色調データを対応する画素毎に全ての画素に亘って比較していたが、これに限らず、全ての画素位置でなく所定の複数の画素位置のみで比較する構成としても構わない。
【０１２６】
前記各実施形態において、前記各実施形態同士をそれぞれ組み合わせた実施形態も採用できる。例えば、前記第２実施形態または前記第３実施形態に対して、前記第４実施形態ないし前記第８実施形態を組み合わせた実施形態としてもよいし、あるいは、前記第９実施形態を組み合わせた実施形態としても構わない。また、前記第４実施形態ないし前記第９実施形態同士を適宜、組み合わせた実施形態としても構わない。
【０１２７】
前記第２実施形態および前記第３実施形態では、撮像装置５がプロジェクタ３Ａ，３Ｂにそれぞれ設けられていたが、これに限らず、ＰＣ側に撮像装置５を取り付けておく構成としても構わない。
【０１２８】
前記第３実施形態では、プロジェクタにて画像を表示する処理のうちＰＣ側にて実施する処理の一部を省略し、該省略した処理の一部をプロジェクタが実施する構成としていたが、これに限らず、プロジェクタにて全ての処理を実施する構成としても構わない。すなわち、前記第３実施形態において、プロジェクタ３Ｂに、ＰＣ２Ｂの補助メモリ２３３、焼付補正情報記憶部２３７、画像情報記憶部２３８、画像生成部２３５１、非変化領域判定部２３５４、および焼き付け領域判定部２３５５等を追加する。このような構成によれば、画像を表示する処理機能を全てプロジェクタ３Ｂに設けることで、上述したＰＣ２ＢとＵＳＢケーブル４を介してプロジェクタ３Ｂを接続しなくても、プロジェクタ３Ｂ単体で補助メモリ２３３内の映像ソースを表示する処理が可能となり、利便性の向上が図れる。
【０１２９】
前記各実施形態では、透過型の液晶パネル（液晶ライトバルブ３１２）を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶ライトバルブ３１２を３枚設けた構成としていたが、これに限らず、１枚のみの液晶ライトバルブ３１２を設ける構成、２枚の液晶ライトバルブ３１２を設ける構成、４枚以上の液晶ライトバルブ３１２を設ける構成としてもよい。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、液晶表示装置としてプロジェクタを採用したが、これに限らず、液晶素子を用いた表示装置であれば、その他の液晶表示装置を採用しても構わない。
【０１３０】
さらに、本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【０１３１】
本発明は、液晶表示装置の構成の簡素化および製造コストの低減が図れるため、プレゼンテーションやホームシアタに用いられるプロジェクタを利用した画像表示システムに利用できる。
【図面の簡単な説明】
【０１３２】
【図１】第１実施形態における画像表示システムとしてのプロジェクションシステムの外観図。
【図２】前記実施形態におけるＰＣの概略構成を示すブロック図。
【図３】前記実施形態における焼付補正情報の一例を示す図。
【図４】前記実施形態におけるプロジェクタの概略構成を示すブロック図。
【図５】前記実施形態におけるプロジェクションシステムの動作を説明するフローチャート。
【図６】前記実施形態における非変化領域および焼き付け領域の判定方法の一例を示す図。
【図７】前記実施形態の効果を説明するための図。
【図８】前記実施形態の効果を説明するための図。
【図９】前記実施形態の効果を説明するための図。
【図１０】第２実施形態におけるプロジェクタの概略構成を示すブロック図。
【図１１】第３実施形態におけるＰＣの概略構成を示すブロック図。
【図１２】前記実施形態におけるプロジェクタの概略構成を示すブロック図。
【図１３】第４実施形態における焼付補正情報の一例を示す図。
【図１４】第５実施形態における非変化領域判定部による非変化領域の判定方法の一例を示す図。
【図１５】前記実施形態における非変化領域判定部による非変化領域の判定方法の一例を示す図。
【図１６】第６実施形態における焼付補正情報の一例を示す図。
【図１７】第７実施形態におけるオフセット値情報の一例を示す図。
【図１８】第８実施形態における焼き付け補正処理部による焼き付け補正処理の一例を示す図。
【図１９】第９実施形態における焼き付け補正処理部による焼き付け補正処理の一例を示す図。
【符号の説明】
【０１３３】
１・・・プロジェクションシステム（画像表示システム）、２，２Ｂ・・・ＰＣ（情報処理装置）、３，３Ａ，３Ｂ・・・プロジェクタ（液晶表示装置）、４・・・ＵＳＢケーブル（情報伝送手段）、５・・・撮像装置、２３７・・・焼付補正情報記憶部、２３８・・・画像情報記憶部、３１２・・・液晶ライトバルブ（液晶素子）、２３５２，３２４１・・・形状変換処理部（画像補正処理部）、２３５３，３２４２・・・色調補正処理部（画像補正処理部）、２３５４・・・非変化領域判定部、２３５５・・・焼き付け領域判定部、２３５６，３２４３・・・焼き付け補正処理部、３２３１・・・液晶パネル駆動制御部（駆動制御部）。
【図１】
2007171744.tif 000003
【図２】
2007171744.tif 000004
【図３】
2007171744.tif 000005
【図４】
2007171744.tif 000006
【図５】
2007171744.tif 000007
【図６】
2007171744.tif 000008
【図７】
2007171744.tif 000009
【図８】
2007171744.tif 000010
【図９】
2007171744.tif 000011
【図１０】
2007171744.tif 000012
【図１１】
2007171744.tif 000013
【図１２】
2007171744.tif 000014
【図１３】
2007171744.tif 000015
【図１４】
2007171744.tif 000016
【図１５】
2007171744.tif 000017
【図１６】
2007171744.tif 000018
【図１７】
2007171744.tif 000019
【図１８】
2007171744.tif 000020
【図１９】
2007171744.tif 000021